(57)【特許請求の範囲】
【請求項１】
標準データのみを記録する記録媒体専用の記録／再生装置に、標準データのみならず特殊データをも記録可能な記録媒体がセットされるときに、標準データのみを記録する記録媒体専用の記録／再生装置にとって、特殊データが記録される領域が隠され、特殊データが記録される領域が該記録／再生装置から保護されるように、特殊データが記録される領域を管理するようになっている記録媒体管理方法であって、標準データ用の管理情報が記録される記録媒体の管理領域に、特殊データが記録される領域をディフェクト領域として指定可能になっており、特殊データが記録される領域をディフェクト領域として指定する場合に、該ディフェクト領域を、真の欠陥部分のディフェクト領域と識別可能に指定することを特徴とする記録媒体管理方法。
【請求項２】
記録媒体に、標準データの他に、さらに、標準データ以外の特殊データをも記録可能であって、特殊データを記録する場合には、標準データ用の管理情報が記録される記録媒体の管理領域に、標準データ用の管理情報とは異質の形態で、特殊データ用の管理情報を記録させるようになっていることを特徴とする記録媒体管理方法であって、標準データ用の管理情報が記録される記録媒体の管理領域に、特殊データが記録される領域をディフェクト領域として指定可能になっており、特殊データが記録される領域をディフェクト領域として指定する場合に、該ディフェクト領域を、真の欠陥部分のディフェクト領域と識別可能に指定することを特徴とする記録媒体管理方法。
【請求項３】
記録媒体に、標準データの他に、さらに、標準データ以外の特殊データをも記録可能な記録装置であって、標準データを記録する場合は、記録媒体の管理領域に標準データが記録される領域を特定する管理情報を、該管理情報が標準データ記録領域を指定するものであるように書き込み、また、標準データ以外の特殊データを記録する場合あるいは記録媒体上に欠陥部分が含まれる場合は、記録媒体の管理領域に特殊データが記録される領域を特定する管理情報を、また、記録媒体上の欠陥部分の領域を特定する管理情報を、これらの管理情報が記録媒体上のディフェクト領域を指示するものであるように管理領域に書込む書込手段を備え、該書込手段は、さらに、特殊データを記録する場合は、上記管理情報に特殊データである旨の識別情報を付加して該管理情報を管理領域に書込み、また、記録媒体上の欠陥部分の領域を記録する場合は、上記管理情報に真のディフェクト領域である旨の識別情報を付加して該管理情報を管理領域に書込むことを特徴とする記録装置。
【請求項４】
記録媒体に、標準データの他に、さらに、標準データ以外の特殊データをも記録可能な記録方法であって、標準データを記録する場合は、記録媒体の管理領域に標準データが記録される領域を特定する管理情報を、該管理情報が標準データ記録領域を指示するものであるように書き込み、また、標準データ以外の特殊データを記録する場合あるいは記録媒体上に欠陥部分が含まれる場合は、記録媒体の管理領域に特殊データが記録される領域を特定する管理情報を、また、記録媒体上の欠陥部分の領域を特定する管理情報を、これらの管理情報が記録媒体上のディフェクト領域を指示するものであるように管理領域に書込み、さらに、特殊データを記録する場合は、上記管理情報に特殊データである旨の識別情報を付加して該管理情報を管理領域に書込み、また、記録媒体上の欠陥部分の領域を記録する場合は、上記管理情報に真のディフェクト領域である旨の識別情報を付加して該管理情報を管理領域に書込むことを特徴とする記録方法。
【請求項５】
標準データの他に、さらに、標準データ以外の特殊データが記録されている記録媒体を再生する再生装置であって、記録媒体の管理領域から管理情報を読み取る管理情報読取手段と、読み取った管理情報が標準データが記録された領域を指示するものであると判断された場合は、該領域のデータを標準データとして認識して標準データ用の再生処理を行ない、読み取った管理情報が特殊データが記録された領域を指示するものであると判断された場合は、該領域のデータを特殊データとして認識して特殊データ用の再生処理を行なう再生手段とを有し、該再生手段は、読み取った管理情報が真のディフェクト領域を指示するものであると判断された場合は、該領域のデータについて再生処理を行なわないことを特徴とする再生装置。
【請求項６】
標準データの他に、さらに、標準データ以外の特殊データが記録されている記録媒体を再生する再生方法であって、記録媒体の管理領域から管理情報を読み取り、読み取った管理情報が標準データが記録された領域を指示するものであると判断された場合は、該領域のデータを標準データとして認識して標準データ用の再生処理を行ない、読み取った管理情報が特殊データが記録された領域を指示するものであると判断された場合は、該領域のデータを特殊データとして認識して特殊データ用の再生処理を行ない、また、読み取った管理情報が真のディフェクト領域を指示するものであると判断された場合は、該領域のデータについて再生処理を行なわないことを特徴とする再生方法。
【請求項７】
記録媒体に情報データの記録を行なう記録方法において、秘匿を行なう情報データを記録する場合あるいは記録媒体上に欠陥部分が含まれる場合は、記録媒体の管理領域に秘匿を行なう情報データが記録される領域を特定する管理情報を、また、記録媒体上の欠陥部分の領域を特定する管理情報を、これらの管理情報が記録媒体上のディフェクト領域を指示するものであるように管理領域に書込み、さらに、秘匿を行なう情報データを記録する場合は、上記管理情報に秘匿を行なう情報データである旨の識別情報を付加して該管理情報を管理領域に書込み、また、記録媒体上の欠陥部分の領域を記録する場合は、上記管理情報に真のディフェクト領域である旨の識別情報を付加して該管理情報を管理領域に書込むことを特徴とする記録方法。
【請求項８】
請求項７記載の記録方法において、秘匿を行なう情報データが記録された領域については、記録，再生，消去が禁止されることを特徴とする記録方法。
【請求項９】
記録媒体に記録されている情報データを再生する再生方法において、記録媒体の管理領域から管理情報を読み取り、読み取った管理情報が秘匿を行なわない情報データが記録された領域を指示するものであると判断された場合は、該領域の情報データの再生を行ない、読み取った管理情報が秘匿を行なうデータが記録された領域または真のディフェクト領域を指示するものであると判断された場合は、該領域のデータを秘匿し、該領域のデータについて再生処理を行なわないことを特徴とする再生方法。
【請求項１０】
請求項９記載の再生方法において、記録媒体の管理領域から管理情報を読み取り、読み取った管理情報が秘匿を行なうデータが記録された領域である場合には、許可確認が得られた場合に限って、該領域のデータについて再生処理を行なうことを特徴とする再生方法。
【請求項１１】
記録媒体に情報データの記録を行なう記録装置において、記録される情報データに対して、秘匿を行なうか否かを指定する指定手段と、指定手段から秘匿を行なわない情報データを記録する旨の指示がある場合は、記録媒体の管理領域に秘匿を行なわない情報データが記録される領域を特定する管理情報を、該管理情報が秘匿を行なわない情報データの記録領域を指定するものであるように書き込み、また、前記指定手段から秘匿を行なう情報データを記録する旨の指示がある場合あるいは記録媒体上に欠陥部分が含まれる場合は、記録媒体の管理領域に秘匿を行なう情報データが記録される領域を特定する管理情報を、また、記録媒体上の欠陥部分の領域を特定する管理情報を、これらの管理情報が記録媒体上のディフェクト領域を指示するものであるように管理領域に書込む書込手段を備え、該書込手段は、さらに、秘匿を行なう情報データを記録する場合は、上記管理情報に秘匿を行なう情報データである旨の識別情報を付加して該管理情報を管理領域に書込み、また、記録媒体上の欠陥部分の領域を記録する場合は、上記管理情報に真のディフェクト領域である旨の識別情報を付加して該管理情報を管理領域に書込むことを特徴とする記録装置。
【請求項１２】
記録媒体に記録されている情報データを再生する再生装置において、記録媒体の管理領域から管理情報を読み取る管理情報読取手段と、記録媒体に記録されている情報データの再生を行なう再生手段と、秘匿を行なう情報データを再生するための許可確認を行なう確認手段とを有し、前記再生手段は、読み取った管理情報が秘匿を行なわない情報データが記録された領域を指示するものであると判断された場合は、該領域のデータを秘匿を行なわないデータとして認識して再生処理を行ない、また、前記再生手段は、読み取った管理情報が秘匿を行なう情報データが記録された領域を指示するものであると判断された場合は、該領域のデータを秘匿を行なう情報データとして認識して、前記確認手段によって許可確認が得られた場合にのみ、該情報データについて再生処理を行ない、また、前記再生手段は、読み取った管理情報が真のディフェクト領域を指示するものであると判断された場合は、該領域のデータについて再生処理を行なわないことを特徴とする再生装置。
【発明の詳細な説明】
【０００１】
【発明の属する技術分野】
本発明は、ミニディスクなどの記録媒体を管理する記録媒体管理方法および記録媒体の再生，記録を行なう再生装置並びに記録装置および記録方法並びに再生方法に関する。
【０００２】
【従来の技術】
近年、デジタルオーディオの分野において、デジタルオーディオデータを高能率符号化を用いて記録／再生する記録／再生装置が開発されている。図１はこの種の記録／再生装置の一例を示す図である。図１を参照すると、この記録／再生装置では、記録媒体１００として、ミニディスク（ＭＤ）が用いられており、ミニディスク１００へのデジタルオーディオデータの記録，再生を行なうために、オーディオ入力をデジタルオーディオデータに変換するＡ／Ｄ変換器２と、デジタルオーディオデータをアナログ信号に変換するＤ／Ａ変換器３と、ＡＴＲＡＣ部（Ａｄａｐｔｉｖｅ  Ｔｒａｎｓｆｏｒｍ  Ａｃｏｕｓｔｉｃ  Ｃｏｄｉｎｇ  部）４と、ショックプルーフメモリ５と、ショックプルーフメモリコントローラ６と、ＥＦＭエンコーダ／デコーダ部７と、全体の制御を行なうコントローラ部（ＣＰＵ）８とが設けられている。
【０００３】
ここで、ＡＴＲＡＣ部４は、音声圧縮技術の新方式であるコーディング（符号化）によるエンコーダの機能とデコーダの機能とを有し、帯域分割と直交変換を組合せ、聴覚上のマスキング効果を応用して高い圧縮効率を得るようになっている。
【０００４】
すなわち、エンコーダの機能が用いられる場合、ＡＴＲＡＣ部４は、デジタルオーディオデータを先ず３つの帯域に分割し、次に、サンプリング時系列に換算して５１２サンプル（約１１ｍ秒）を最長の時間として帯域ごとに直交変換の一種であるＭＤＣＴによってデジタルオーディオデータを周波数軸上のスペクトル係数データに変換する。
【０００５】
図２（ａ）にはデジタルオーディオデータを３つの帯域に分割したときの１つの帯域のデータ（時間軸上のデジタルオーディオデータＤＴ（各データは例えば１６ビット表現）が示されており、ＡＴＲＡＣ部４は、図２（ａ）に示すようなデジタルオーディオデータをある大きさの単位ブロック（例えば５１２ポイントのデータを含むブロック）に分けて、図２（ｂ）に示すように、この単位ブロックを圧縮単位ブロックとして、圧縮単位ブロック内のデジタルオーディオデータにＭＤＣＴ（Ｍｏｄｉｆｉｅｄ  Ｄｉｓｃｒｅｔｅ  Ｃｏｓｉｎｅ  Ｔｒａｎｓｆｏｒｍ）を施し、図２（ｃ）に示すような周波数軸上のスペクトル係数データ（周波数成分データ）に変換圧縮するようになっている。このように変換されたスペクトル係数データは、ＡＴＲＡＣ部４において、聴覚分析に基づく最小可聴限特性Ｋ１やマスキング効果Ｋ２を反映させて、さらに情報量が圧縮される。このように圧縮された情報（圧縮単位ブロックごとに圧縮された情報）は、サウンドグループと呼ばれ、図２（ｄ）に示すようなフォーマットに編集される。
【０００６】
このようにして、サウンドグループ毎に、圧縮前２チャンネル５１２サンプルの情報量２０４８バイトが４２４バイト，すなわち約１／５に圧縮され、このサウンドグループは、後述のようなショックプルーフメモリ５，ショックプルーフメモリコントローラ６，ＥＦＭエンコーダ／デコーダ部７を介して、ミニディスク１００に、最終的に記録される。
【０００７】
なお、図２（ｄ）において、オーディオスペクトラムデータ（スペクトラムデータ）は、図２（ｃ）より得られた各スペクトル係数データであり、サウンドパラメータは、各伝送用分割帯域のスケールファクタ，ワードレングス（ワード長）などの補助データである。また、図３に示すように、ワードレングス（ワード長）は、スペクトル係数を再量子化したビット数であり、スケールファクタは、伝送用分割帯域の最大スペクトルレベルの近似値である。
【０００８】
また、ＡＴＲＡＣ部４のデコーダの機能が用いられる場合、ＡＴＲＡＣ部４は、上述した圧縮の仕方とは逆に、ミニディスク１００から読出された図４（ａ）に示すようなサウンドグループから図４（ｂ）に示すようなスペクトル係数データを取得し、このスペクトル係数データに図４（ｃ）に示すようなＩＭＤＣＴ（Ｉｎｖｅｒｓｅ  Ｍｏｄｉｆｉｅｄ  Ｄｉｓｃｒｅｔｅ  Ｃｏｓｉｎｅ  Ｔｒａｎｓｆｏｒｍ）を施して、時間軸上のデータに変換し、変換されたデータに対し、ブロック連結，フィルタ合成を行なって、図４（ｄ）に示すようなデジタルオーディオデータＤＴに再生するようになっている。
【０００９】
また、ショックプルーフメモリ５は、ミニディスクを用いたデジタルオーディオシステムを例えばアウトドアで用いるときの振動による音の途切れ（ミニディスク上の光学ピックアップの機械的振動による音の途切れなど）を防止するためのバッファとして設けられており、ショックプルーフメモリコントローラ６は、ショックプルーフメモリ５へのスペクトル係数データのバッファリングを制御するようになっている。また、ＥＦＭエンコーダ／デコーダ部７は、ミニディスク１００への記録信号を生成するために設けられており、この変調方式には、コンパクトディスク（ＣＤ）の変調方式であるＥＦＭ（Ｅｉｇｈｔ  ｔｏ  Ｆｏｕｒｔｅｅｎ  Ｍｏｄｕｒａｔｉｏｎ）がそのまま用いられている。また、訂正符号には、ＣＤにおけるＣＩＲＣ（Ｃｒｏｓｓ  Ｉｎｔｅｒｌｅａｖｅ  Ｒｅｅｄ−Ｓｏｌｏｍｏｎ  Ｃｏｄｅ）のインターリーブを戻したＡＣＩＲＣが用いられている。
【００１０】
次に、このような構成の記録／再生装置の記録動作（録音動作），再生動作について説明する。先ず、録音動作時には、オーディオ入力が例えばマイク（図示せず）を介してＡ／Ｄ変換器２に入力すると、Ａ／Ｄ変換器２では、オーディオ入力をデジタルオーディオデータに変換し、ＡＴＲＡＣ部４に与える。ＡＴＲＡＣ部４では、そのエンコード機能により、デジタルオーディオデータを変換圧縮して図２（ｄ）に示すようなサウンドグループにする。このようにＡＴＲＡＣ部４から出力されるサウンドグループは、ショックプルーフメモリコントローラ６（ショックプルーフメモリ５），ＥＦＭエンコーダ／デコーダ部７を介して、ミニディスク１００に記録（録音）される。
【００１１】
また、再生動作時には、光学ピックアップ（図示せず）によってミニディスク１００に記録（録音）されているデータ（サウンドグループ）を読み出し、ＥＦＭエンコーダ／デコーダ部７，ショックプルーフメモリコントローラ６（ショックプルーフメモリ５）を介してＡＴＲＡＣ部４に与える。ＡＴＲＡＣ部４では、そのデコード機能により、ミニディスク１００からのデータを伸張再生し、デジタルオーディオデータにする。このようにＡＴＲＡＣ部４から出力されるデジタルオーディオデータは、Ｄ／Ａ変換器３に加わり、Ｄ／Ａ変換器３においてアナログ信号に変換され、例えばスピーカ（図示せず）からオーディオ出力として再生出力される。
【００１２】
また、このような記録／再生装置において、ミニディスク１００の編集などを行なうために、外部への送信出力機能，外部からの受信機能を備えたデジタルオーディオインタフェース（ＤＡＩ）２０がさらに設けられており、このデジタルオーディオインタフェース２０を介してミニディスク１００のコピー（複製）などをとることもできる。
【００１３】
ところで、記録媒体としてのミニディスク（ＭＤ）には、再生専用ＭＤ（プリマスターＭＤ）と記録可能ＭＤ（録音用ＭＤ：レコーダブルＭＤ）との２種類があり、記録可能ＭＤでは、そのデータ構造は、図５に示すようなものとなっている。すなわち、記録可能ＭＤでは、ディスクに書き込む変調方法として、前述のように、ＥＦＭ（ｅｉｇｈｔ  ｔｏ  ｆｏｕｒｔｅｅｎ  ｍｏｄｕｌａｔｉｏｎ），誤り訂正符号としてＡＣＩＲＣを採用し、このフォーマットに、圧縮したオーディオデータをブロックごとにまとめて記録するようになっており、ＣＤ−ＲＯＭの「モード２」規格に非常に近い方式となっているが、ＣＤ−ＲＯＭはＣＤの９８フレームを１セクタとし、再生時間に換算すると１３．３ｍ秒になるのに対し、記録可能ＭＤでは、例えば、ＣＩＲＣのインタリーブ長は１０８フレーム（１４．５ｍ秒）でＣＤ−ＲＯＭの１セクタよりも長くなっていることから、ＣＩＲＣの誤り訂正符号を使ってデータを記録するには、データを記録し始める前に、１０８フレーム（１セクタ＋α）以上のリンク領域（リンクセクタ），すなわち「捨て領域」を用意しなければならない。また、データを記録し終わった後も、誤り訂正のインタリーブを完結するため、同じように１０８フレーム以上の領域を確保する必要がある。
【００１４】
この際、記録可能ＭＤに任意の場所からデータを記録し始めるようにすると、リンク領域がディスクのあちこちに散らばりデータの利用効率が悪くなるので、ある程度大きなまとまりごとにデータを記録するのが良く、このため、ミニディスクでは、図５に示すように、データは、「クラスタ」と呼ばれる記録単位にまとめられて記録されるようになっている。１クラスタは３６セクタからなり、書き換えは必ず１クラスタの整数倍で行ない、記録するデータを一旦ＲＡＭに蓄積し、ディスクに書き込むようにしている。このＲＡＭは、ショックプルーフメモリ５と併用することができる。
【００１５】
換言すれば、記録可能ＭＤでは、１クラスタ（＝３６セクタ）の中で、先頭３セクタをリンク領域（リンクセクタ）とし、次の１セクタをサブデータ用にし、残りの３２セクタに圧縮データを記録するようにしており、データを記録するときには、３セクタからなるリンクセクタのうちの２番目のリンクセクタの途中から記録し始め、また、３６セクタ目を書き終わるときは、次のクラスタの１番目のリンクセクタと２番目のリンクセクタの途中まで誤り訂正用のデータを書くようにしている。
【００１６】
なお、再生専用ＭＤにおいても、そのデータ構造は、基本的に図５と同様のものとなっているが、再生専用ＭＤでは、データが一筆書きで書かれていることにより、リンク領域の３セクタは必要なく、この３セクタを加えて先頭４セクタをサブデータ用に割り当てることができて、この先頭４セクタにグラッフィックスのデータなどを入れて、カラオケなどに使うことができる。
【００１７】
このように、再生専用ＭＤと記録可能ＭＤのデータ構造は、リンク領域を設けるか否かにおいてのみ相違し、基本的なデータ構造は同じであるので、図１のデジタルオーディオシステムの記録媒体（ミニディスク）１００に、再生専用ＭＤ，記録可能ＭＤのいずれの記録媒体をも用いることができ、記録媒体１００に記録可能ＭＤが用いられる場合には、オーディオデータを、ＡＴＲＡＣ部４により圧縮して、圧縮データ（ＡＴＲＡＣデータ）として記録媒体１００に記録し、また、再生することができ、また、記録媒体１００に再生専用ＭＤを用いる場合には、ＡＴＲＡＣ部４により記録媒体１００に記録されている圧縮データ（ＡＴＲＡＣデータ）を読出すことができる。
【００１８】
なお、圧縮データ（ＡＴＲＡＣデータ）の各トラック情報は、再生専用ＭＤ（プリマスターＭＤ）の場合はＴＯＣにより、記録可能ＭＤ（レコーダブルＭＤ）の場合はユーザＴＯＣ（ＵＴＯＣ）により管理されている。
【００１９】
例えば、記録可能ＭＤでは、図６に示すように、その内周の所定の領域にリードイン領域が設けられ、最外周側にリードアウト領域が設けられている。そして、このリードイン領域とリードアウト領域の間に、ユーザが所定のデータを記録可能な領域が設けられており、この領域の最内周側に、ユーザＴＯＣ（ＵＴＯＣ）領域が設けられ、そこにユーザが必要とするＴＯＣデータを随時記録することができるようになされている。なお、このＵＴＯＣ領域には、通常のミニディスクの場合、記録されている曲番のアドレス等が記録される。
【００２０】
より詳細には、記録可能ＭＤの最内周に位置するＵＴＯＣ領域には、３クラスタ繰り返して所定の内容が記録される。ＵＴＯＣ領域に記録されてる内容は、セクタ０がＡＴＲＡＣにより圧縮された各データトラックのアドレス情報、セクタ１がアルファベット（ＡＳＣＩＩコード）による各トラックネーム（曲名）、セクタ２が各トラックの録音日時、セクタ３がトラックのＩＳＲＣ、セクタ４がＩＳＯ−８８５９−１またはシフトＪＩＳによる各トラックネーム（曲名）というようになっており、記録可能ＭＤでは、録音時、圧縮データ用の管理情報（圧縮データの記録がなされたトラックのアドレス情報）をセクタ０に記録し、再生時はこの管理情報（アドレス情報）に基づいてデータの検索，再生が行なわれる。
【００２１】
図７には、ＵＴＯＣ領域のセクタ０のフォーマットが示されている。図７を参照すると、プログラムエリア内のＡＴＲＡＣデータ領域を示すアドレスは、セクタデータの７８×４バイト目（セクタ先頭を０バイト目とする）以降に、８バイト単位で書かれており、この各８バイトをアドレススロットと呼ぶ。アドレススロットには、ディスク上の領域を示すアドレス情報（スタートアドレス（Ｓｔａｒｔ  ａｄｄｒｅｓｓ），エンドアドレス（Ｅｎｄ  ａｄｄｒｅｓｓ），リンクポインタ（Ｌｉｎｋ−Ｐ），トラックモード（Ｔｒａｃｋ  Ｍｏｄｅ））が書き込まれ、ミニディスク（ＭＤ）では、２５５個のアドレススロットを設定可能となっている。すなわち、ＭＤの記録領域に最大２５５個のアドレス情報，すなわち記録単位を作成可能となっている。
【００２２】
また、各アドレススロットに関し、スタートアドレスはトラックの先頭の位置を示すアドレス、エンドアドレスはトラックの終了の位置を示すアドレス、トラックモードはそのトラックがモノラルかステレオかといった各モードの定義である。また、トラックが複数領域にわたる場合は、リンクポインタＬＩＮＫ−Ｐには続きのスタートアドレスが記録されており、そのスタートアドレスを読み出してそこから引き続き再生を行なうようになっており、このようにＭＤでは、従来のコンパクトディスクやレーザディスクのようにトラックの単位は連続した一領域で構成されるだけでなく、分割された複数の領域が組合わさって一つのトラックを形成することが可能となっている。
【００２３】
各アドレススロットは、１１×４＋２バイト目から始まるポインタ“Ｐ−”によって指し示されている。ここで、ポインタＰ−ＤＦＡは、ディスク上に欠陥があって記録再生できない欠陥領域のアドレスを指示するアドレススロットの位置、Ｐ−ＥＭＰＴＹは、記録されてないアドレススロットの位置、Ｐ−ＦＲＡは、まだ記録されていない領域のアドレスを指示するアドレススロットの位置、Ｐ−ＴＮＯ１，２，…２５５は、各トラック単位のアドレススロットの位置をそれぞれ示すものである。
【００２４】
これにより、例えば、１２×４＋１バイト目のポインタ“Ｐ−ＴＮＯ１”で指定されたアドレススロットは、トラック１のアドレスを記したスロットであることを意味し、このポインダ“Ｐ−ＴＮＯ１”のデータが“１”であった場合、トラック１の領域を指示するアドレススロットが、７６×４＋（１）×８＝７８×４バイト目の位置から書かれていることを示している。同様に、“Ｐ−ＴＮＯ２”，“Ｐ−ＴＮＯ３”，…，“Ｐ−ＴＮＯ２５５”は、それぞれ、トラック２，トラック３，…，トラック２５５の領域を指示するアドレススロットの位置を示すものである。
【００２５】
一方、ディフェクトにより正常に記録再生できない欠陥領域については、これを、Ｐ−ＤＦＡ（ディフェクトポインタ）で指し示すアドレススロットによって指定することができる。例えば、１１×４＋２バイト目のポインタ“Ｐ−ＤＦＡ”で指定されたアドレススロットは、前述のように、ディフェクトアドレスを記したスロットであることを意味し、このアドレススロットにより指示される領域は、ディフェクト領域であることを意味している。このポインタ“Ｐ−ＤＦＡ”の計算方法は、前述したトラックポインタにおける計算方法と同様である。ミニディスク装置では、ディフェクト領域を、このようにして記録，再生の対象から外すことが可能である。
【００２６】
また、前述のように、１つのトラックが複数の領域にわたるときや、ディフェクト領域が複数存在するときなどは、スロット中のリンクポインタに、続きのアドレススロットを指定させることにより、複数のアドレススロットを用いて複数の領域を指定することができる。
【００２７】
このＵＴＯＣ領域のデータ（管理情報；ＴＯＣデータ）は、在来のミニディスク記録／再生装置において、再生時には、次のように利用される。すなわち、ミニディスクを再生装置へ挿入（装着）し、再生ボタンを押して、再生処理を開始させると、まず、先頭のトラック番号であるＦｉｒｓｔＴＮＯの値を読む。この値は通常は“１”の場合が多く、“１”であればトラック１のトラックナンバーポインタ“Ｐ−ＴＮＯ１”を読む。また、この値が“２”であれば、Ｐ−ＴＮＯ２を読むことになる。Ｐ−ＴＮＯには、各トラックの記録エリアを示すアドレススロットの位置がコード化されて記録されているので、このコードに従ってアドレススロットを読みにいく。
【００２８】
アドレススロットには、各トラックのディスク上のスタートアドレス（およびエンドアドレス）や、トラックモードバイト、リンクポインタが記録されている。ここで、スタートアドレスおよびエンドアドレスは、クラスタ，セクタ，サウンドグループ番号からなり、ディスク上の位置を示している。また、トラックモードバイトはエンファシスの有無，モノラルかステレオか等の各トラックの属性情報を示しており、また、リンクポインタはトラックがディスク上の複数領域にまたがるとき、その続きの領域を示すアドレススロットの位置コードを示す。
【００２９】
以上の情報を読み込んだ後、スタートアドレスへアクセスし、トラックモードバイト情報に従って、再生処理を制御し、エンドアドレスまでの再生を開始する。この再生処理において、リンクポインタが“０”以外のときは、１トラックが複数の領域にまたがることを意味するので、このリンクポインタが指すアドレススロットの領域を続いて再生する。一方、リンクポインタが“０”であれば、そのトラックはそのエンドアドレスで終了であり、続くトラックの再生動作に移る。このようにして、ＵＴＯＣ領域の管理情報（ＴＯＣデータ）を用いて、所定の再生処理を行なうことができる。
【００３０】
また、ＵＴＯＣ領域のＴＯＣデータは、在来のミニディスク記録／再生装置において、記録時には、次のように利用される。すなわち、ミニディスクを記録装置へ挿入（装着）し、停止状態から録音ボタンを押して、記録ポーズ状態にすると、まずＰ−ＦＲＡが指すアドレススロット、Ｐ−ＤＦＡが指すアドレススロット、および有効なＰ−ＴＮＯが指すアドレススロットを読み込む、Ｐ−ＦＲＡはフリーエリアの開始アドレスを指しており、システムコントローラは、そのアドレスへシークを行なった後、１トラックジャンプ等により録音待機状態に入る。また、これとともに、ユーザのスイッチ操作等により、記録属性（エンファシス、ステレオ／モノラル等）の設定を行なう。Ｐ−ＤＦＡの指すスロットにはディフェクト領域に関するアドレスが記述され、また、Ｐ−ＴＮＯの指すスロットには記録トラックに関するアドレスなどが記述されており、録音ポーズ状態では、これらがメモリへ読み込まれた状態となっている。録音状態に入ると（録音ポーズ状態で再生または一時停止ボタンを押すと）、システムコントローラは、ユーザが指定した属性で記録されるように制御しながらフリーエリアへのデータの記録を開始させる。録音中は常に記録するアドレスを、Ｐ−ＤＦＡやＰ−ＴＮＯの指すスロットのアドレスと比較しこれらに上書きしないよう記録位置を制御する。録音が終了すると、記録したアドレス、およびその属性をＰ−ＥＭＰＴＹの指すスロットから記録し、新たなＰ−ＴＮＯでそのアドレススロットを示すとともにＬａｓｔＴＮＯを増加する。例えばすでに３曲記録されたディスクに４曲目を記録した場合には、Ｐ−ＴＮＯ４を更新し、ＬａｓｔＴＮＯを“４”とする。最後に空いてるアドレススロットの１つにディスクのフリーエリアの先頭アドレスを記録するとともに、そのスロットを指すようＰ−ＦＲＡを更新し、空きアドレススロットを指すようＰ−ＥＭＰＴＹを更新して記録処理を完了する。このようにして、ミニディスクの記録時には、記録されたデータの管理情報（ＴＯＣデータ）がＵＴＯＣ領域に記録される。
【００３１】
【発明が解決しようとする課題】
本来、ミニディスクは民生用音楽媒体として開発されており、直径６４ｍｍという小型のディスクでありながら、ＡＴＲＡＣと呼ばれる音声圧縮技術を用いることにより、データを圧縮し、ＣＤ１枚分の７４分の録音時間を達成している。
【００３２】
また、その操作性の良さから業務用機器としても受け入れられようとしているが、業務用として用いる場合、ＡＴＲＡＣによる圧縮オーディオデータ（ＡＴＲＡＣデータ）の他に、非ＡＴＲＡＣデータをも録音できる機能が望まれている。例えば、非圧縮のディジタルオーディオデータを録音できたり、あるいは、ＭＰＥＧオーディオデータやＡＣ−３等、他の圧縮方式によるデータの録音機能が望まれている。
【００３３】
しかしながら、従来のミニディスクでは、符号化オーディオデータであるＡＴＲＡＣデータ以外の特殊データ（例えば非圧縮データ、ＭＰＥＧオーディオデータ等）をミニディスクに記録し、そのデータを再生することは規定されていない。もし、ＡＴＲＡＣデータ以外の特殊データをミニディスクに記録した後に、従来と同様の形式でＵＴＯＣ領域にトラックの登録を行なったならば、このミニディスクを従来のミニディスク再生装置によって再生した場合にＵＴＯＣ領域に記録された情報を読んで特殊データのトラックをトラックとして認識したとしても、データとして認識ができず、異音を発生したり、再生装置が異常動作してしまう。また、もし、ＡＴＲＡＣデータ以外の特殊データをミニディスクに記録した後に、従来と異なった形成でトラックの登録を行なったならば、このミニディスクを従来のミニディスク記録装置によって記録した場合、特殊データのトラックをトラックとして認識できず、特殊データのトラックにＡＴＲＡＣデータが上書きされたり、特殊データが消去されたりする。このように、ＡＴＲＡＣデータ以外の特殊データをミニディスクに記録した場合、従来の装置では記録再生に問題があるという欠点があった。
【００３４】
また、従来のミニディスク装置では、記録内容（情報データ）を秘匿することができないという問題があった。
【００３５】
本発明は、記録媒体（ミニディスク）の一部または全部に標準データ（ＡＴＲＡＣによる圧縮データ）以外の特殊データ（例えば、非圧縮ＰＣＭオーディオデータ等）を、在来の記録媒体（ミニディスク）に対して上位互換性を保ちつつ、記録，再生することの可能な記録媒体管理方法および再生装置並びに記録装置および記録方法並びに再生方法を提供することを目的としている。
【００３６】
すなわち、本発明は、記録媒体としてのミニディスクに標準圧縮データ（ＡＴＲＡＣデータ）以外の特殊データをも記録可能であって、ミニディスクにＡＴＲＡＣデータの他にさらに特殊データが記録されている場合、このミニディスクを在来のミニディスク記録再生装置によって再生するときにも、このミニディスクに記録されている特殊データによって装置が誤動作等の悪影響を受けず、また、ミニディスクに記録されている特殊データが在来の記録再生装置によって上書き，消去されてしまうのを防止することの可能な記録媒体管理方法および再生装置並びに記録装置および記録方法並びに再生方法を提供することを目的としている。
【００３７】
また、本発明は、特定の記録内容（情報データ）を秘匿，保護することの可能な記録方法並びに再生方法および記録装置並びに再生装置を提供することを目的としている。
【００３８】
【課題を解決するための手段】
上記目的を達成するために、請求項１，請求項２記載の発明では、標準データのみを記録する記録媒体専用の記録／再生装置に、標準データのみならず特殊データをも記録可能な記録媒体がセットされるときに、標準データのみを記録する記録媒体専用の記録／再生装置にとって、特殊データが記録される領域が隠され、特殊データが記録される領域が該記録／再生装置から保護されるように、特殊データが記録される領域を管理するようになっているので、標準(圧縮)データ，特殊データを１つの記録媒体に記録する場合にも、記録媒体内に標準(圧縮)データ，特殊データを混乱なく共存させることができ、この記録媒体への標準(圧縮)データ，特殊データの記録，再生動作の管理を容易に行なうことができる。
【００３９】
さらに、請求項１，請求項２記載の発明では、特殊データが記録される領域をディフェクト領域として指定する場合に、該ディフェクト領域を、真の欠陥部分のディフェクト領域と識別可能に指定するので、特殊データが記録される領域をディフェクト領域として指定する場合にも、これを真の欠陥部分の領域と区別させることができる。
【００４０】
また、請求項３，請求項４記載の発明では、記録媒体に標準データを記録する場合は、記録媒体の管理領域に標準データが記録される領域を特定する管理情報を、該管理情報が標準データ記録領域を指示するものであるように書き込み、また、標準データ以外の特殊データを記録する場合あるいは記録媒体上に欠陥部分が含まれる場合は、記録媒体の管理領域に特殊データが記録される領域を特定する管理情報を、また、記録媒体上の欠陥部分の領域を特定する管理情報を、これらの管理情報が記録媒体上のディフェクト領域を指示するものであるように管理領域に書込み、さらに、特殊データを記録する場合は、上記管理情報に特殊データである旨の識別情報を付加して該管理情報を管理領域に書込み、また、記録媒体上の欠陥部分の領域を記録する場合は、上記管理情報に真のディフェクト領域である旨の識別情報を付加して該管理情報を管理領域に書込む。これにより、管理領域に記録された各管理情報が、標準データに関するものであるのかディフェクト領域に関するものであるのかを認識させ、また、ディフェクト領域として認識された場合、これが特殊データに関するものであるのか、真のディフェクト領域に関するものであるのかを認識させることが可能となる。
【００４１】
また、請求項５，請求項６記載の発明では、記録媒体の管理領域から管理情報を読み取り、読み取った管理情報が標準データが記録された領域を指示するものであると判断された場合は、該領域のデータを標準データとして認識して標準データ用の再生処理を行ない、読み取った管理情報が特殊データが記録された領域を指示するものであると判断された場合は、該領域のデータを特殊データとして認識して特殊データ用の再生処理を行ない、また、読み取った管理情報が真のディフェクト領域を指示するものであると判断された場合は、該領域のデータについて再生処理を行なわない。これにより、１つの記録媒体内に標準データと特殊データとが混在して記録されている場合にも、この記録媒体から標準データ，特殊データを正しく再生することができる。
【００４２】
また、請求項７，請求項８，請求項１１記載の発明では、秘匿を行なう情報データを記録する場合あるいは記録媒体上に欠陥部分が含まれる場合は、記録媒体の管理領域に秘匿を行なう情報データが記録される領域を特定する管理情報を、また、記録媒体上の欠陥部分の領域を特定する管理情報を、これらの管理情報が記録媒体上のディフェクト領域を指示するものであるように管理領域に書込み、さらに、秘匿を行なう情報データを記録する場合は、上記管理情報に秘匿を行なう情報データである旨の識別情報を付加して該管理情報を管理領域に書込み、また、記録媒体上の欠陥部分の領域を記録する場合は、上記管理情報に真のディフェクト領域である旨の識別情報を付加して該管理情報を管理領域に書込む。これにより、特定の情報データを秘匿し、保護することができる。
【００４３】
また、請求項９，請求項１０，請求項１２記載の発明では、記録媒体の管理領域から管理情報を読み取り、読み取った管理情報が秘匿を行なわない情報データが記録された領域を指示するものであると判断された場合は、該領域の情報データの再生を行ない、読み取った管理情報が秘匿を行なうデータが記録された領域または真のディフェクト領域を指示するものであると判断された場合は、該領域のデータを秘匿し、該領域のデータについて再生処理を行なわない。これにより、特定の情報データを秘匿し、保護することができる。
【００４４】
【発明の実施の形態】
以下、本発明の一実施形態を図面に基づいて説明する。図８は本発明に係る記録／再生装置の構成例を示す図である。なお、図８において、図１と同様の箇所には同じ符号を付している。図８の記録／再生装置は、基本的には、図１に示した記録／再生装置と同様の構成のものとなっているが、図８の記録／再生装置では、記録媒体１００に、標準データ（標準圧縮データ（ＡＴＲＡＣデータ））の他に、さらに、標準圧縮データ（ＡＴＲＡＣデータ）以外の所望のデータをも記録／再生することが可能に構成されている。
【００４５】
すなわち、図８の記録／再生装置では、図１の記録／再生装置において、さらに、標準圧縮データ（ＡＴＲＡＣデータ）以外の特殊データ（例えば、非圧縮ＰＣＭオーディオデータなど）を装置内に取り込み、また、装置から出力させるための特殊データインタフェース手段（特殊データ取込手段）９が、切替部１０においてＡＴＲＡＣ部４（データ処理手段）と切替可能に設けられ、また、コントローラ（ＣＰＵ）部８は、圧縮データ（ＡＴＲＡＣデータ）に対する制御処理の他に、さらに、特殊データに対する制御処理も行なうようになっており、記録媒体１００に対し、標準圧縮データ（ＡＴＲＡＣデータ）の記録，再生を行なうときには、ＡＴＲＡＣ部４が使用されるように切替部１０を切替える一方、特殊データの記録，再生を行なうときには、ＡＴＲＡＣ部４ではなく、特殊データインタフェース手段９が使用されるよう切替部１０を切替るようになっている。
【００４６】
ここで、特殊データインタフェース手段９としては、例えば、先入先出方式のＦＩＦＯメモリが用いられ、記録または再生時には特殊データをこのＦＩＦＯメモリに一旦バッファリングし、所定の同期をとってショックプルーフメモリコントローラ６またはデジタルオーディオインタフェース２０などに与えるようになっている。なお、図８の記録／再生装置では、さらに、記録媒体１００の駆動機構，サーボ機構，光学系が必要とされるが、これらについては簡単のため図示を省略している。
【００４７】
このような記録／再生装置により、記録媒体１００に、標準圧縮データの他に、さらに、標準圧縮データ以外の特殊データをも記録，再生することができる。
【００４８】
また、本発明では、記録媒体（ミニディスク）１００に、標準圧縮データ（ＡＴＲＡＣデータ）の他に、標準圧縮データ以外の特殊データをも記録する場合、特殊データが記録されたこの記録媒体（ミニディスク）１００を例えば図１に示すような在来の記録／再生装置（標準圧縮データ（ＡＴＲＡＣデータ）のみを記録する記録媒体専用の記録／再生装置）にセットするときに、在来の記録／再生装置にとって特殊データが記録された領域が隠され、特殊データが記録された領域が在来の記録／再生装置から保護されるように、特殊データが記録された領域を管理するようにしている。
【００４９】
換言すれば、本発明では、記録媒体１００に、標準圧縮データの他に、さらに、標準圧縮データ以外の特殊データをも記録するとき、標準圧縮データ用の管理情報が記録される記録媒体１００の管理領域（例えばＵＴＯＣ領域）に、標準圧縮データ用の管理情報（ＴＯＣデータ）とは異質の形態で、特殊データ用の管理情報（ＴＯＣデータ）を記録させるようになっている。
【００５０】
より具体的に、標準データ用の管理情報が記録される記録媒体の管理領域に、特殊データが記録される領域をディフェクト領域として指定可能になっていることを特徴とする。
【００５１】
さらに、特殊データが記録される領域をディフェクト領域として指定する場合に、該ディフェクト領域を、真の欠陥部分のディフェクト領域と識別可能に指定できるようになっている。
【００５２】
図９は本発明に係る記録／再生装置において特殊データを記録媒体（ミニディスク）１００に記録するための構成例を示す図である。図９を参照すると、特殊データを記録媒体（ミニディスク）１００に記録するため、この記録装置は、特殊データインタフェース手段９からの特殊データを所定のメモリ手段１１に記憶するメモリ入力手段１２と、メモリ手段１１に記憶されている特殊データを記録媒体１００に書込む特殊データ書込手段１３と、特殊データが記録された記録媒体１００の領域に関する情報（特殊データ書込手段１３によって記録媒体１００に書込まれた特殊データのトラックアドレス情報等のＴＯＣデータ）を記憶するＵＴＯＣ記憶手段１４と、ＵＴＯＣ記憶手段１４に記憶されている特殊データ用の情報（特殊データのトラックアドレス情報等のＴＯＣデータ）を特殊データが記録された領域がディフェクト領域（記録，再生を禁止する領域）として認識されるように、ＵＴＯＣ領域の在来の部分（セクタ０）に書込むＵＴＯＣ書込手段１５とを備えている。
【００５３】
ここで、ＵＴＯＣ領域書込手段１５は、特殊データが記録される領域をディフェクト領域として指定する場合に、該ディフェクト領域を、真の欠陥部分のディフェクト領域と識別可能に指定するようなっている。
【００５４】
また、図１０は本発明に係る記録／再生装置において、記録媒体に記録されている特殊データを再生するための構成例を示す図である。図１０を参照すると、記録媒体に記録されている特殊データを再生するために、この再生装置は、記録媒体のＵＴＯＣ領域の所定部分（セクタ０）のＴＯＣデータを読み出すＵＴＯＣ読出手段１６と、読出されたＵＴＯＣ領域の部分（セクタ０）のＴＯＣデータを記憶するＵＴＯＣ記憶手段１７と、ＵＴＯＣ記憶手段１７に記憶されたＵＴＯＣ領域の部分（セクタ０）のＴＯＣデータのうち、ディフェクト領域を指定するＴＯＣデータを参照し、該ディフェクト領域を指定するＴＯＣデータにおいて真の欠陥部分とは異なるものとして識別されているＴＯＣデータに基づいて記録媒体１００に記録されている特殊データを読出し再生する特殊データ再生手段１８とを備えている。
【００５５】
なお、図９の記録装置，図１０の再生装置において、メモリ手段１１，ＵＴＯＣ記憶手段１４，ＵＴＯＣ記憶手段１７には、図８に示したショックプルーフメモリ５の一部を用いることができ、また、メモリ入力手段１２，特殊データ書込手段１３，ＵＴＯＣ書込手段１５，ＵＴＯＣ読出手段１６，特殊データ再生手段１８は、図８においてコントローラ部（ＣＰＵ）８，ショックプルーフメモリコントローラ６により実現できる。
【００５６】
この場合、メモリ入力手段１２，特殊データ書込手段１３，ＵＴＯＣ書込手段１５，ＵＴＯＣ読出手段１６，特殊データ再生手段１８は、標準圧縮データ（ＡＴＲＡＣデータ）およびそのＵＴＯＣ領域のＴＯＣデータの記録，読出し，再生を行なう場合と同様にして、特殊データおよびそのＵＴＯＣ領域のＴＯＣデータの記録，読出し，再生を行なうことができ、従って、これらの各手段には、ＡＴＲＡＣデータおよびそのＵＴＯＣ領域のＴＯＣデータの記録，読出し，再生を行なう手段を共用することができる。
【００５７】
図１１はショックプルーフメモリ５の構成例を示す図であり、図１１の例では、標準圧縮データ（ＡＴＲＡＣデータ），特殊データは、ショックプルーフメモリ５のアドレス“ＮＵ”〜“Ｎ−１”のメインデータ領域に記憶され、標準圧縮データ（ＡＴＲＡＣデータ）用の管理情報（ＴＯＣデータ），特殊データ用の管理情報（ＴＯＣデータ）は、ショックプルーフメモリ５のアドレス“０”〜“ＮＬ”の領域に記憶されるようになっている。
【００５８】
このように、本発明の記録装置，記録方法では、標準データ（ＡＴＲＡＣデータ）を記録する場合は、ＵＴＯＣ領域に標準データが記録される領域の各トラックの位置を特定するＴＯＣデータを書き込んで標準データトラック（ＡＴＲＡＣデータトラック）として認識させ、また、標準データ（ＡＴＲＡＣデータ）以外の特殊データ（非ＡＴＲＡＣデータ）を記録する場合あるいはディスク上に欠陥部分が含まれる場合は、ＵＴＯＣ領域に特殊データが記録される領域の各トラックの位置を特定するＴＯＣデータを、また、ディスク上の欠陥部分の領域の各トラックの位置を特定するＴＯＣデータを、これらのＴＯＣデータがディフェクト領域を指示するものであるように書込み、さらに、特殊データ（非ＡＴＲＡＣデータ）を記録する場合は上記ＴＯＣデータに、特殊データである旨の識別信号を付加してＵＴＯＣ領域に書込み、また、ディスク上の欠陥部分の領域を記録する場合は上記ＴＯＣデータに真のディフェクト領域である旨の識別信号を付加してＵＴＯＣ領域に書込む。これにより、各ＴＯＣデータが、標準データ（ＡＴＲＡＣデータ）に関するものであるのかディフェクト領域に関するものであるのかを認識させ、また、ディフェクト領域として認識された場合、これが特殊データに関するものであるのか、真のディフェクト領域に関するものであるのかを認識させることが可能となる。
【００５９】
また、上記のような記録管理がなされることにより、本発明の再生装置，再生方法では、記録媒体のＵＴＯＣ領域からＴＯＣデータを読み込み、読み込んだＴＯＣデータが標準データ（ＡＴＲＡＣデータ）が記録されたトラックを指示するものであると判断された場合は、切替部１０をＡＴＲＡＣ部４に切替えて標準データ用の再生処理を行ない、また、読み込んだＴＯＣデータが特殊データ（非ＡＴＲＡＣデータ）が記録されたトラックを指示するものであると判断された場合は、切替部１０を特殊データインタフェース手段９に切替えて特殊データ用の再生処理を行ない、また、読み込んだＴＯＣデータが真のディフェクト領域を指示するものであると判断された場合は、再生処理を行なわないようにすることができる。
【００６０】
具体的には、本発明では、ＡＴＲＡＣデータ以外の特殊データを記録したトラックを隠し、保護するため、図７に示すＵＴＯＣ領域のセクタ０において、特殊データを記録したトラックに関するアドレススロットを、トラックナンバーポインタ（Ｐ−ＴＮＯ）で指定せずに、ディフェクトアドレスポインタＰ−ＤＦＡで指定するか、またはリンクポインタＬＩＮＫ−Ｐによって示される上記ディフェクトアドレススロットの続きのアドレススロットで指定し、かつそのポインタが指定したアドレススロットのトラックモードバイト情報を、真の（本当の）ディフェクト領域とは異なる状態にセットする。
【００６１】
例えば、このトラックモードバイト情報のビットｄ４を在来のミニディスクでは設定されない値、すなわち“１”とすることにより、これを真のディフェクト領域から区別し、さらに、このトラックモードバイト情報のビットｄ５を使って、このようにディフェクト領域で示したトラックの区切りを表わすようにする。
【００６２】
図１２はトラックモードバイトのｄ４，ｄ５，ｄ６の各ビットの扱いを説明するための図である。ここで、図７からわかるように、ｄ４とはＭＳＢから４ビット目を指し、ｄ５とはＭＳＢから５ビット目を指し、ｄ６とはＭＳＢから６ビット目を指す。
【００６３】
図１２を参照すると、ｄ４が“１”の時は、そのアドレススロットは保護トラック（ｒｅｓｅｒｖｅｄ，ｃｏｎｃｅａｌｅｄ  Ｔｒａｃｋ）であることを示す。さらに、ｄ５が“１”である時は、公開（保護解除）時、当該トラックには続きの部分が存在し、そのアドレススロットのリンクポインタＬＩＮＫ−Ｐが示すスロットが同じトラックの一部であることを示す。また、ｄ５が“０”である時は、公開時、そのアドレススロットで当該トラックが終了することを示すものとする。さらに、ｄ６が“１”の時は、当該トラックはＡＴＲＡＣデータトラックであり、ｄ６が、“０”の時は、当該トラックはＡＴＲＡＣ以外の特殊データトラック（例えば非圧縮ＰＣＭオーディオトラック）であるとする。なお、ｄ４，ｄ５に関してはディフェクトポインタＰ−ＤＦＡ、またはそのリンクポインタＬＩＮＫ−Ｐによって示されたアドレススロットの時に上記の意味をもつものとする。
【００６４】
図１３はミニディスクのＵＴＯＣ領域の記録例を示す図である。図１３の例では、先頭トラック番号ＦｉｒｓｔＴＮＯ（０００００００１）は“１”であることからトラック１（Ｔｒａｃｋ１）のトラックナンバーポインタＰ−ＰＴＮＯ１（０００００００１）を読み、このトラックナンバーポインタＰ−ＴＮＯ１が指定するアドレススロット（７６×４＋１×８＝７８×４からのスロット）により、トラック１のデータをアクセスできる。
【００６５】
また、図１３の例では、この最終トラック番号ＬａｓｔＴＮＯ（００００００１１）は“３”であり、３曲の記録がなされていることを示している。従って、この場合、在来のミニディスク再生装置で再生可能なトラックはＴｒａｃｋ１，Ｔｒａｃｋ２，Ｔｒａｃｋ３の３トラックであり、Ｔｒａｃｋ２，Ｔｒａｃｋ３についてのアドレススロットは、Ｔｒａｃｋ１についてのアドレススロットと同様にして、トラックナンバーポインタＰ−ＴＮＯ２（００００００１０），Ｐ−ＴＮＯ３（００００００１１）により、８０×４からのスロット，８２×４からのスロットとして割り出すことができる。
【００６６】
また、図１３の例では、さらに、ディフェクトアドレスポインタＰ−ＤＦＡ（０００００１００）が指定するアドレススロット（７６×４＋４×８＝８４×４からのスロット）のトラックモードバイトを参照すると、このトラックモードバイトのｄ４が“１”であるので、このアドレススロットにより指示されるトラックが保護されたトラック（Ｃｏｎｃｅａｌｅｄ  Ｔｒａｃｋ）であることを示している。さらに、このアドレススロットのトラックモードバイトのｄ５，ｄ６がそれぞれ“１”，“０”であるので、それがＡＴＲＡＣデータ以外のデータトラックであり、リンクポインタＬＩＮＫ−Ｐで示されているアドレスがその秘匿されたトラックの続きの部分であることがわかる。そこで、このアドレススロット（８４×４からのスロット）のリンクポインタＬＩＮＫ−Ｐ（０００００１０１）を見ると、続く（８６×４）からのスロット（７６×４＋５×８＝８６×４）を指しており、そのスロットのトラックモードバイトのｄ４は“１”であり、また、ｄ５，ｄ６はそれぞれ、“０”，“０”であることから、そこが上記保護トラックの続きの部分でありかつこのスロットで当該保護トラックは終了することを示している。さらに、このアドレススロット（８４×４からのスロット）のリンクポインタＬＩＮＫ−Ｐ（０００００１１０）を見ると、続く（８８×４）からのスロット（７６×４＋６×８＝８８×４）を指しており、そのスロットのトラックモードバイトのｄ４は“１”であり、ｄ５，ｄ６はそれぞれ、“０”，“０”であることから、（８８×４）からのアドレススロットまで、保護された特殊データトラックの全部分であることがわかる。さらに（８８×４）からのアドレススロットのリンクポインタＬＩＮＫ−Ｐ（０００００１１１）を見ると、続く（９０×４）からのスロット（７６×４＋７×８＝９０×４）を指しており、そのスロットのトラックモードバイトのｄ４は“０”であることから、（９０×４）からのアドレススロットは、真のディフェクト領域（ｄｅｆｅｃｔｉｖｅ  ａｒｅａ）を指示するものであると認識できる。
【００６７】
このように、本発明の記録媒体管理方法によれば、在来のミニディスク記録／再生装置ではＡＴＲＡＣデータ以外の記録部分はディフェクト領域として認識され、保護されて、読み出し、および上書きをすることができなくなる。これに対し、本発明の記録／再生装置では、このディフェクトアドレスポインタＰ−ＤＦＡ、またはリンクポインタＬＩＮＫ−Ｐによって示されるその続きのアドレススロットのトラックモードバイトを読むことで、そのスロットが真のディフェクト領域を指示するものであるのか、あるいは特殊データが記録された保護された領域であるのかを判別でき、保護された領域であれば、そこをトラックとして再生することで、特殊データの再生を行なうことが可能になる。
【００６８】
従って、本発明のこのような記録媒体管理方法，記録装置（記録方法），再生装置（再生方法）では、ＵＴＯＣのセクタ０のＴＯＣデータに基づいて、ＡＴＲＡＣデータ以外の特殊データ（例えば非圧縮ＰＣＭオーディオデータ）についてもＡＴＲＡＣデータと同様に記録（録音），再生が可能となる。
【００６９】
また、特殊データが記録されている領域を、ＵＴＯＣ領域のセクタ０に、ディフェクト領域として指定することで、在来の記録／再生装置は、ＵＴＯＣ領域を参照してＡＴＲＡＣデータの再生あるいは記録を行なうとき、特殊データが記録されている領域をディフェクト領域として認識し、特殊データが記録されている領域を参照しないので、記録媒体に特殊データが記録されている場合にも、この特殊データを誤って読み込んでノイズを発生させたり、また、記録されている特殊データに新たな標準データ（ＡＴＲＡＣデータ）を上書きすることもない。すなわち、本発明の記録／再生装置によって記録（録音）されたミニディスク（ＭＤ）のＡＴＲＡＣデータ以外の特殊データ（例えば非圧縮ＰＣＭオーディオデータ）は、従来の記録／再生装置（例えばＭＤレコーダ）から隠され、保護されているので、これが間違って読み出されたり、上書き，消去されることがなくなる。
【００７０】
換言すれば、本発明では、ＵＴＯＣ領域のセクタ０において、特殊データを記録した領域をディフェクト領域として指定するため、この記録媒体を在来のミニディスク記録／再生装置に用いた場合、特殊データを記録した領域をディフェクト領域（記録，再生の禁止領域）と判断し、特殊データを記録した領域への記録，再生を行わず、他の領域に記録されたＡＴＲＡＣデータのみを記録，再生することができる。
【００７１】
このように、本発明では、現行のミニディスクのフォーマットに対して上位互換性を保ちつつ、この記録媒体（ＡＴＲＡＣデータのみならず特殊データも記録されている記録媒体（ミニディスク））に対して、在来の記録／再生装置（ミニディスク記録再生装置）でＡＴＲＡＣデータの記録，再生を行なうことができ、また、この記録媒体専用の記録／再生装置，すなわち本発明の記録／再生装置では、ＡＴＲＡＣデータと特殊データとの両方の記録，再生を行なうことができる。例えば、本発明の記録／再生装置を用いて、音声圧縮した信号を長時間記録したり、短時間の記録であるが音質の高い記録をしたりするというように、同一の記録／再生装置を用いて同一の記録媒体に目的に応じた数種類のフォーマットのデータを記録させ、再生することが可能となる。
【００７２】
なお、従来、例えば特開平６−２９５５３２号公報には、ＡＴＲＡＣオーディオ信号が記録されるＭＤ−Ａｕｄｉｏフォーマットの通常のミニディスク（ＭＤ）と、ＭＰＥＧ方式でビデオデータとオーディデータとが記録されているＭＤ−ＤＡＴＡフォーマットの異なるディスクを、１台の再生装置で再生できる技術が示されている。すなわち、特開平６−２９５５３２号の技術では、再生装置は、ＭＤ−ＤＡＴＡドライブであり、異なるフォーマットで記録されている互いに異なる種類の複数枚のミニディスクを、１台の再生装置で再生する際に、予めミニディスクのＵＴＯＣ領域に記録されている識別データに基づき、そのデータのフォーマットに対応するプログラムを専用再生装置のメモリから読みだして、データを再生するようにしている。
【００７３】
しかしながら、特開平６−２９５５３２号の再生装置では、１台の再生装置で、互いに異なるフォーマットの複数のディスクを再生することはできるものの、互いに異なるフォーマットの複数種類のデータが記録されるディスクの再生を行なうことはできない。
【００７４】
これに対し、本発明では、１台の記録／再生装置で、互いに異なるフォーマットの複数種類のデータが記録されるディスクの記録，再生をも行なうことができる。
【００７５】
すなわち、本発明では、ＡＴＲＡＣデータとＡＴＲＡＣデータ以外の特殊データとを１枚のミニディスクに混在させて記録可能となっており、また、本発明の再生装置では、このミニディスク（すなわち、ＡＴＲＡＣデータとＡＴＲＡＣデータ以外の特殊データとが混在して記録された本発明の１枚の記録媒体）のＵＴＯＣ領域に記録されたＴＯＣデータだけに基づいてこのミニディスクからＡＴＲＡＣデータ，特殊データを互いに識別可能に再生するようにしており、従って、本発明の再生装置では、特別なプログラム等を用いずとも、ミニディスクのＵＴＯＣ領域を参照するだけで、ＡＴＲＡＣデータと特殊データとが混在したミニディスクから、現行のミニディスクに対して上位互換を保ちつつ、ＡＴＲＡＣデータあるいは特殊データを再生することができる。
【００７６】
また、特開平６−２９５５３２号公報の技術においては、オーディオ用ＭＤディスクとデータ用ＭＤディスクを対象としており、ＡＴＲＡＣデータ以外のデータ（特殊データ）は、データ用ＭＤディスクに、ＭＤ−ＤＡＴＡフォーマットで記録され、その特殊データを再生する場合は、ＭＤ−ＤＡＴＡドライブを使用しなければならない。この場合、ＭＤ−ＤＡＴＡドライブは、ＳＣＳＩ（Ｓｍａｌｌ  Ｃｏｍｐｕｔｏｒ  Ｓｙｓｔｅｍ  Ｉｎｔｅｒｆａｃｅ）インターフェースを制御するパソコン等のコントローラ、また、信号処理用のＤＳＰ（Ｄｉｇｉｔａｌ  Ｓｉｇｎａｌ  Ｐｒｏｃｅｓｓｏｒ）ボード等を追加する必要がある。このように、再生装置以外の付加装置が必要となるため、システムの立ち上げに時間がかかり、システムとして大型化する。これに対し、本発明では、ＡＴＲＡＣデータ以外の特殊データも、オーディオ用ＭＤディスクに、ＭＤ−Ａｕｄｉｏフォーマットで記録され、通常のＭＤレコーダにわずかな改造を施すことにより、リニアオーディオデータ等の特殊データの記録再生ができる。従って、記録再生装置としての小型化、スタンドアロン化（単独動作化）が可能となり有効である。
【００７７】
図１４は、本発明の記録媒体管理方法，記録／再生装置を適用したミニディスク記録再生装置の具体例を示す図である。図１４を参照すると、このミニディスク記録再生装置は、記録媒体１００としてのミニディスクをスピンドルモータ４２によって回転駆動し、また、ミニディスク１００に対し、例えば、光学ヘッド４３よりレーザ光を照射した状態で記録データに応じた変調磁界を磁気ヘッド４４により印可することによってデータの記録を行ない、また、上記ミニディスク１００の記録トラックを、例えば上記光学ヘッド４３によりレーザ光でトレースすることにより、磁気光学的に情報の再生を行なうようになっている。
【００７８】
ここで、光学ヘッド４３は、レーザ光源，レンズ等の光学部品や光検出器等からなり、上記ミニディスク１００に対し、磁気ヘッド４４とは反対の側に設けられている。また、上記光学ヘッド４３からの出力（光検出器からの出力）は、再生アンプ（ＲＦアンプ）４６に加わり、再生アンプ４６では、上記光学ヘッド４３の出力からフォーカスエラー信号やトラッキングエラー信号を抽出してサーボ制御回路４５に与えるとともに再生信号を２値化して、デコーダ（ＥＦＭデコーダ）７７へ供給するようになっている。
【００７９】
また、サーボ制御回路４５は、例えば、フォーカスサーボ，トラッキングサーボ，スピンドルサーボ，スライドサーボ制御回路等から構成され、フォーカスサーボ及びトラッキングサーボ制御回路は、それぞれ、フォーカスエラー信号およびトラッキングエラー信号が０になるように制御を行ない、レーザ光の焦点を記録トラックへ正しくトレースさせる機能を有している。また、スピンドルサーボ制御回路は、ミニディスク１００を所定の回転速度で回転駆動させるようにスピンドルモータ４２を制御するようになっている。すなわち、スピンドルサーボ制御回路は、ミニディスク１００を、ＡＴＲＡＣデータか、特殊データ（例えば非圧縮ＰＣＭデータ）かによって、それぞれ所定の回転速度で回転駆動させるように、スピンドルモータ４２を制御するようになっている。また、スライドサーボ制御回路は、システムコントローラ（ＣＰＵ）４７により指定されるミニディスク１００の目的トラックへ光学ヘッド４３及び磁気ヘッド４４を移動させる機能を有している。サーボ制御回路４５は、また、上記のような各種サーボ制御される各部の動作状態を示す情報を、システムコントローラ（ＣＰＵ）４７に供給するようになっている。
【００８０】
システムコントローラ（ＣＰＵ）４７にはキーボード４８が接続され、このキーボード４８からは、この記録再生装置の動作モード（記録モードや再生モードなど）を入力指定することができ、キーボード４８から入力指定される動作モードに従って、システムコントローラ（ＣＰＵ）４７は、記録制御，再生制御を行なうようになっている。また、システムコントローラ（ＣＰＵ）４７は、ミニディスク１００のＵＴＯＣ領域に記録されているアドレス情報（例えばセクタ、クラスタ、サウンドグループ）に基づき、光学ヘッド４３および磁気ヘッド４４がトレースしている位置を管理するようになっている。また、システムコントローラ（ＣＰＵ）４７にはディスプレイ４９が接続され、ミニディスク１００のアドレス情報（例えばセクタ、クラスタ）に基づき、記録あるいは再生時間等の表示を行なうようになっている。
【００８１】
また、この記録再生装置では、記録処理を行なうために、ローパスフィルタ（ＬＰＦ）６１、Ａ／Ｄコンバータ６２、ＡＴＲＡＣエンコーダ（圧縮器）６３、ＦＩＦＯメモリ６４、データセレクタ（切替スイッチ）６５、ＲＡＭ（ランダムアクセスメモリ）６６、エンコーダ（ＥＦＭエンコーダ）６７、磁気ヘッド駆動回路６８が設けられている。
【００８２】
また、再生処理を行なうために、デコーダ（ＥＦＭデコーダ）７７、ＲＡＭ（ランダムアクセスメモリ）７８、ＡＴＲＡＣデコーダ（伸張器）７９、ＦＩＦＯメモリ８０、データセレクタ（切替スイッチ）８１、Ｄ／Ａコンバータ８２、ローパスフィルタ（ＬＰＦ）８３が設けられている。
【００８３】
ここで、システムコントローラ４７は図８におけるコントローラ部８およびショックプルーフメモリコントローラ６に対応し、ＡＴＲＡＣエンコーダ６３，ＡＴＲＡＣデコーダ７９は、図８におけるＡＴＲＡＣ部４に対応し、また、ＦＩＦＯメモリ６４，８０は図８における特殊データインタフェース手段９に対応し、また、データセレクタ（切替スイッチ）６５，８１は図８における切替部１０に対応し、また、ＲＡＭ６６，７８は図８におけるショックプルーフメモリ５に対応し、また、エンコーダ６７，デコーダ７７は図８におけるＥＦＭエンコーダ／デコーダ部７に対応している。
【００８４】
次に、このような構成のミニディスク記録再生装置の処理動作について説明する。
【００８５】
このミニディスク記録再生装置において、このミニディスク記録再生装置に挿入（装着）されているミニディスク１００へのデータの記録がなされる場合、入力されたアナログ入力信号Ａｉｎは、先ず、ローパスフィルタ６１を介してＡ／Ｄコンバータ６２でサンプリング，量子化されて、ＡＴＲＡＣエンコーダ６３およびＦＩＦＯメモリ６４へ出力される。
【００８６】
上記ローパスフィルタ６１はサンプリング周波数の１／２以上の周波数成分をよく遮断するようにカットオフ特性が設定されておりエリアシングノイズを防止する。また、上記ＡＴＲＡＣエンコーダ６３は、所定のサンプリング周波数（例えば４４．１ｋＨｚ）のデジタルデータ（例えばＰＣＭディジタルオーディオデータ）がＡ／Ｄコンバータ６２から送られると、このデジタルデータに対してＡＴＲＡＣ方式のデータ圧縮を行なう。なお、Ａ／Ｄコンバータ６２のサンプリング周波数が４４．１ｋＨｚでなければ、４４．１ｋＨｚへサンプリング周波数変換処理を行なってＡＴＲＡＣエンコーダ６３へデータを供給する必要がある。
【００８７】
また、上記ＦＩＦＯメモリ６４には、Ａ／Ｄコンバータ６２からのデジタルデータ（例えばＰＣＭディジタルオーディオデータ）が連続的に入力され、ＦＩＦＯメモリ６４はこれを保持する。
【００８８】
しかる後、ＡＴＲＡＣエンコーダ６３からの圧縮データ、または、ＦＩＦＯメモリ６４に保持されたデータがＲＡＭ６６に出力されるが、ＲＡＭ６６へ出力されるデータは、ＡＴＲＡＣエンコーダ６３からの圧縮データ，ＦＩＦＯメモリ６４からのデータのいずれか一方のものであり、データセレクタ６５は、システムコントローラ４７の制御下で、これらのいずれか一方を選択する。すなわち、システムコントローラ４７は、キーボード４８の記録モードスイッチの状態に応じて、ＡＴＲＡＣ圧縮モードであればＡＴＲＡＣエンコーダ６３からの圧縮データをＲＡＭ６６に出力し、また、非圧縮モードであればＦＩＦＯメモリ６４からのデータをＲＡＭ６６に出力するようデータセレクタ６５を制御する。
【００８９】
これにより、ＡＴＲＡＣエンコーダ６３からの圧縮データが選択されると、ＡＴＲＡＣエンコーダ６３により圧縮されたデータがＲＡＭ６６に出力される。具体的には、例えば、ステレオ２チャンネル分の１サウンドブロック（５１２サンプル）のディジタルオーディオデータが、ＡＴＲＡＣエンコーダ６３により、４２４バイトにコーディングされて、ＲＡＭ６６に出力される。また、ＦＩＦＯメモリ６４からのデータが選択されると、ＦＩＦＯメモリ６４からは、ＲＡＭ６６が要求するタイミングでデータが読み出されて、ＲＡＭ６６に出力される。
【００９０】
ＲＡＭ６６は、データの書き込みおよび読み出しが上記システムコントローラ４７により制御され、ＡＴＲＡＣモードの時は上記ＡＴＲＡＣエンコーダ６３から供給されるデータを一時的に記憶し、また、非圧縮ＰＣＭモードの時はＦＩＦＯメモリ６４から供給されるデータを一時的に記憶しておき、必要に応じてディスク１００にデータを送出し、ディスク１００に記録する。
【００９１】
具体的に、ミニディスクでは、３２セクタ（７４６２４バイト）のデータに４セクタのリンキング，サブデータセクタを付加して１クラスタとし、このクラスタ単位でバースト的にミニディスク１００への読み書きを行なう。従って、ＲＡＭ６６は少なくとも１クラスタ分のデータを記憶し、システムコントローラ４７の指示により、クラスタ単位でＥＦＭエンコーダ６７へデータを供給する。またこのバースト転送中の転送レートは、ＡＴＲＡＣモードではＡＴＲＡＣデータの平均転送速度よりも高くする必要があり、また非圧縮モードでは、非圧縮ＰＣＭデータの平均転送レートより高くする必要がある。
【００９２】
ＥＦＭエンコーダ６７では、ＲＡＭ６６から供給されたデータをリアルタイムにディスク１００上の記録フォーマットであるＥＦＭ信号にエンコードし、磁気ヘッド駆動回路６８へ供給し、磁気ヘッド駆動回路６８は、上記記録データに応じた変調磁界をミニディスク１００に印加するよう磁気ヘッド４４を駆動する。また、システムコントローラ４７は、ＲＡＭ６６に対する上述のようなメモリ制御を行なうとともに、このＲＡＭ６６からバースト的に読み出される上記記録データをミニディスク１００の記録トラックに連続的に記録されるよう記録位置の制御を行なう。この記録位置の制御は、システムコントローラ４７がＲＡＭ６６からバースト的に読み出される上記記録データの記録位置を管理して、上記ミニディスク１００の記録位置を指定する制御信号をサーボ制御回路４５へ供給することによって行なわれる。
【００９３】
さらにシステムコントローラ４７は、キーボード４８の状態を監視しており、録音停止の操作があれば、その時点までの入力信号の記録処理を完了させた後、ＵＴＯＣ領域へのトラック登録処理を行なう。これは、トラックモードバイトのｄ６が特殊データ（非圧縮データ）の記録時に“０”になる以外は、前述した在来のミニディスクのＵＴＯＣ領域への登録処理と同じである。すなわち、ＡＴＲＡＣエンコーダ６３からの標準データ（圧縮データ）の記録時には、この標準データの記録トラックのアドレスを指定するアドレススロットのトラックモードバイトのｄ６には“１”を設定し、また、ＦＩＦＯメモリ６４からの特殊データ（非圧縮データ）の記録時には、この特殊データの記録トラックのアドレスを指定するアドレススロットのトラックモードバイトのｄ６に“０”を設定すること以外は、ＵＴＯＣ領域へのＴＯＣデータの記録処理に関し、標準データと特殊データとで同じである。
【００９４】
図１４のミニディスク記録再生装置において、このようにして記録処理がなされた後、例えばこのミニディスク記録再生装置からのミニディスク１００の排出（取り出し）時に、システムコントローラ４７は、ＵＴＯＣ領域のＴＯＣデータの書き換え処理（更新処理）を行なう。図１５はＴＯＣデータの書き換え処理の処理流れを示すフローチャートである。
【００９５】
この書き換え処理では、先ず、先頭のトラックから順次にトラックを調べ、現在のトラック（トラック番号：Ｎ）が特殊データ（非圧縮ＰＣＭデータ）のトラックか否かを判断する（ステップＳ５１）。すなわち、現在のトラック（トラック番号：Ｎ）のアドレススロットのトラックモードバイトにおいてｄ６が“０”であるか否かを判断する。
【００９６】
この結果、このトラック（トラック番号：Ｎ）のアドレススロットのトラックモードバイトのｄ６が“０”であり、このトラックが特殊データのトラックであると判断されると、このトラック（トラック番号：Ｎ）のトラックナンバーポインタ（Ｐ−ＴＮＯＮ）をクリアし（ステップＳ５２）、続いて、このトラックのアドレススロットをディフェクトポインタ（Ｐ−ＤＦＡ）、またはディフェクト領域と指定されたアドレススロットのリンクポインタＬＩＮＫ−Ｐで指定する（ステップＳ５３）。さらに、このトラックのアドレススロットのトラックモードバイトを更新する（ステップＳ５４）。すなわち、このトラックのアドレススロットのトラックモードバイトのｄ４を“１”にする。また、このとき当該秘匿トラックが複数のアドレススロットを使用しているならば、その各スロットに対し当該トラックの最後のスロットであるかを判断し、最後のスロットならばｄ５を“０”とし、最後のスロットでなければｄ５を“１”とする。これにより、１トラック分の保護を終了し、ステップＳ５５に進む。
【００９７】
また、ステップＳ５１において、現在のトラックのアドレススロットのトラックモードバイトにおいてｄ６が“１”（標準データ（ＡＴＲＡＣデータ）のトラック）である場合には、ステップＳ５２乃至Ｓ５４の保護処理を行なわずに、ステップＳ５５に進む。
【００９８】
ステップＳ５５では、処理中のトラックが最終トラックか否かを判断し、最終トラックでなければ次のトラックに関して上述したと同様の処理を繰り返し行なうため、再びステップＳ５１に戻る。これに対し、最終トラックである場合には、標準データ（ＡＴＲＡＣデータ）のトラックのトラック番号をリナンバリングする。例えば、５トラック中、２トラックが特殊データ（非圧縮ＰＣＭデータ）のトラックであった場合、残った３つのトラック（標準データのトラック）のアドレススロットをそれぞれ指示するようにトラックナンバーポインタＰ−ＴＮＯ１，Ｐ−ＴＮＯ２，Ｐ−ＴＮＯ３を書き換える。さらに、ＦｉｒｓｔＴＮＯを“１”にし、ＬａｓｔＴＮＯを“３”に更新する（ステップＳ５６）。このようにして、ＵＴＯＣ領域のＴＯＣデータの書き換え処理を完了する。
【００９９】
また、図１４のミニディスク記録再生装置において、このミニディスク記録再生装置へのミニディスクの挿入（装着）時には、システムコントローラ４７は、このミニディスクに対し、イニシャル処理を行なう。図１６はイニシャル処理の処理流れを示すフローチャートである。
【０１００】
イニシャル処理では、先ず、ＬａｓｔＴＮＯの確認を行なう（ステップＳ７１）。すなわち、最終のトラック番号（トラックナンバー）を調べ、公開（保護解除）される特殊データ（非圧縮ＰＣＭオーディオデータ）のトラックのトラックナンバーの初期値を（最終トラックナンバー＋１）とする。次に、ディフェクト領域のアドレススロット（Ｐ−ＤＦＡで示されたアドレススロット）及びそのリンクポインタＬＩＮＫ−Ｐが指すアドレススロットの中でトラックモードバイトのｄ４が“１”のスロットを抽出する（ステップＳ７２）。ｄ４が“１”のスロットを抽出できた場合は、そのアドレススロットを新規のトラックナンバーポインタ（Ｐ−ＴＮＯ）で指定する（ステップＳ７３）。例えば、標準データ（ＡＴＲＡＣデータ）のトラックが３まであるとするとＰ−ＴＮＯ４で指定し、すでにトラック４の公開処理を行なったならばＰ−ＴＮＯ５で指定する。続いて、当該アドレススロットをディフェクトアドレスから外すよう、当該アドレススロットを指すディフェクトアドレスポインタＰ−ＤＦＡ、またはディフェクトアドレススロットのリンクポインタＬＩＮＫ−Ｐを更新する（ステップＳ７４）。さらに、抽出されたスロットのトラックモードバイトのｄ４を“０”とし、ｄ５が“１”の場合は、これを“０”に戻す（ステップＳ７５）。なお、ｄ５が当初から“０”であった場合、そのスロットのリンクポインタＬＩＮＫ−Ｐをクリアする。これにより、１トラック分の特殊データトラックの公開処理を完了し、再びステップＳ５２に戻り、さらに、次のスロットの抽出を行なう。
【０１０１】
このようにして、全ての保護アドレススロット（トラックモードバイトのｄ４が“１”であるスロット）の抽出が終了し、ｄ４が“１”のスロットがなくなると、特殊データトラックの公開により増加したトラック番号（トラックナンバー）も含むようにラストトラックナンバーＬａｓｔＴＮＯを更新する（ステップＳ７６）。例えば、ＡＴＲＡＣデータのトラックが３トラック、隠された特殊データのトラックが２トラック存在するディスクの場合、ＬａｓｔＴＮＯを“５”に更新する。このようにして、保護されている特殊データのトラックの公開を完了する。このイニシャライズを行なったディスクは、特殊データのトラックをＡＴＲＡＣデータのトラックと同様にアクセスすることが可能になる。
【０１０２】
次に、図１４のミニディスク記録再生装置によって、標準データ（ＡＴＲＡＣデータ），特殊データ（非圧縮ＰＣＭデータ）が記録された記録媒体（ミニディスク）を再生する動作について図１７のフローチャートを用いて説明する。例えばオペレータによりキーボード４８から再生ボタンが押下されると（ステップＳ２１）、システムコントローラ４７は、先ず記録媒体１００のＵＴＯＣ領域のセクタ０のＴＯＣデータを検索する。すなわち、ＦｉｒｓｔＴＮＯ，ＬａｓｔＴＮＯを確認し（ステップＳ２２）、しかる後、ＦｉｒｓｔＴＮＯ，ＬａｓｔＴＮＯに基づき、前述したように、Ｐ−ＴＮＯを確認して、アドレススロットを検索する（ステップＳ２３）。１つのアドレススロットを検索し、このアドレススロットに記述されているスタートアドレス，エンドアドレス，トラックモードバイト，リンクポインタを確認して（ステップＳ２４）、この結果、トラックモードバイトのｄ６が“１”であれば（ステップＳ２５）、システムコントローラ４７は、このアドレススロットにより指示されるトラックに標準データ（ＡＴＲＡＣデータ）が記録されていると判断し、ＡＴＲＡＣデコーダ７９からの出力がＤ／Ａコンバータ８２へ送られるように、データセレクタ８１を制御する（ステップＳ２６）。これに対し、ステップＳ２５において、トラックモードバイトのｄ６が“０”であれば、システムコントローラ４７は、このアドレススロットにより指示されるトラックに特殊データが記録されていると判断し、ＦＩＦＯメモリ８０からの出力がＤ／Ａコンバータ８２へ送られるように、データセレクタ８１を制御する（ステップＳ２７）。
【０１０３】
このようにして、１つのアドレススロットが検索されて、このアドレススロットにより指示される領域（トラック）に記録されているデータの種類がｄ６によって判断されてステップＳ２６またはステップＳ２７の処理がなされた後、このアドレススロットのスタートアドレスで指示された領域位置（トラック位置）からエンドアドレスで指示された領域位置（トラック位置）までを再生する（ステップＳ２８）。
【０１０４】
ステップＳ２８の再生処理は、具体的には、次のようになされる。すなわち、システムコントローラ４７は、このアドレススロットのスタートアドレスで指示されたトラック位置からエンドアドレスで指示されたトラック位置まで、データが順次に連続的に読み出されるよう光学ヘッド４３の位置すなわち再生位置をサーボ制御回路により制御して再生を行なう。
【０１０５】
光学ヘッド４３がミニディスク１００の記録トラックをトレースすることによって得られる再生出力は、再生アンプ４６により２値化され、ＥＦＭデコーダ７７へ供給され、ＥＦＭデコーダ７７は、ディスク上の記録フォーマットであるＥＦＭ信号をデコードし、クラスタ単位のデータをＲＡＭ７８へ供給する。ＲＡＭ７８はデータの書き込み、読み出しがシステムコントローラ４７により制御され、ＲＡＭ７８には、ＥＦＭデコーダ７７からクラスタ単位で転送される標準データ（ＡＴＲＡＣデータ）、または特殊データ（非圧縮ＰＣＭデータ）が書き込まれ、また、ＲＡＭ７８に書き込まれたデータは、ＡＴＲＡＣデコーダ７９の必要とするタイミングで読み出され、ＡＴＲＡＣデコーダ７９およびＦＩＦＯメモリ８０へ出力される。
【０１０６】
ＡＴＲＡＣデコーダ７９は、ＲＡＭ７８から標準データ（ＡＴＲＡＣデータ）が出力される場合、出力された標準データ（ＡＴＲＡＣデータ）を、デジタルデータ（デジタルオーディオデータ）へデコードする。また、ＦＩＦＯメモリ８０は、ＲＡＭ７８から特殊データ（非圧縮ＰＣＭデータ）がバースト的に出力される場合、出力された特殊データ（非圧縮ＰＣＭデータ）を一時的に記憶する。
【０１０７】
ところで、現在再生中のデータの種類は、前述のように、このデータが記録されている領域を指定するアドレススロットのトラックモードバイト情報のｄ６により、予め判別されており、ｄ６が“１”であるか“０”であるかにより、ステップＳ２６またはＳ２７の処理がなされている。従って、ｄ６が“１”であって現在再生中のデータの種類が標準データ（ＡＴＲＡＣデータ）であれば、ＡＴＲＡＣデコーダ７９からのデータがＤ／Ａコンバータ８２へ送られる。また、ｄ６が“０”であって現在再生中のデータの種類が特殊データ（非圧縮データ）であれば、ＦＩＦＯメモリ８０に記憶されているデータがＤ／Ａコンバータ８２に必要なタイミングでＤ／Ａコンバータ８２へ送られる。
【０１０８】
従って、Ｄ／Ａコンバータ８２は、現在再生中のデータが標準データ（ＡＴＲＡＣデータ）である時は、ＡＴＲＡＣデコーダ７９からのデジタルデータ（デジタルオーディオデータ）をアナログ信号に変換し、また、現在再生中のデータが特殊データ（非圧縮ＰＣＭデータ）である時は、ＦＩＦＯメモリ８０からのデジタルデータ（デジタルオーディオデータ）をアナログ信号に変換して、アナログ信号（アナログオーディオ信号）を形成する。このＤ／Ａコンバータ８２より得られるアナログ信号Ａｏｕｔはローパスフィルタ８３を介して出力される。
【０１０９】
このようにして、ステップＳ２８において、１つのアドレススロットのスタートアドレスとエンドアドレスとによって指示された領域（トラック）に記録されているデータについての再生を行なった後、このアドレススロットのリンクポインタＬＩＮＫ−Ｐが“０”か否かを調べ（ステップＳ２９）、これが“０”でないときには、このリンクポインタＬＩＮＫ−Ｐにより示される続きのアドレススロットを検索し（ステップＳ３０）、再びステップＳ２４に戻り、この続きのアドレススロットで指示される領域（トラック）について、同様にして再生処理を行なう。
【０１１０】
また、ステップＳ２９において、リンクポインタＬＩＮＫ−Ｐが“０”であるときには、最終トラックであるか否かを調べ、（ステップＳ３１）、最終トラックでないときには、次のトラックナンバーポインタＰ−ＴＮＯを確認して次のアドレススロットを検索するため、再びステップＳ２３に戻し、次のアドレススロットで指示される領域（トラック）について、同様にして再生処理を行なう。
【０１１１】
一方、ステップＳ３１において、最終トラックである場合には、この記録媒体に記録されているデータの再生が全てなされたと判断され、再生処理を終了する。
【０１１２】
このように、本発明によれば、ＡＴＲＡＣデータ以外の特殊データが記録されている一部または全部のトラックをディフェクト領域として指定することにより、ＡＴＲＡＣデータしか記録再生できない在来のミニディスク装置にこのディスクが装着されても、特殊データが記録されているトラックが再生されたり上書きされるのを防止し、このトラックを保護することができる。一方、本発明のミニディスクは、在来のミニディスクとの互換性を維持しているため、ＡＴＲＡＣデータが記録されたトラックについては在来のミニディスク装置でも再生できるとともに、ミニディスクの空き領域には、在来のミニディスク記録装置によってＡＴＲＡＣデータを記録することができる。
【０１１３】
また、本発明の記録／再生装置によれば、装着されたミニディスクに対しイニシャライズ処理を行なうことによって、特殊データのトラックへもＡＴＲＡＣデータのトラックと同様にアクセスすることができる。すなわち、ミニディスク内にＡＴＲＡＣデータおよびそれ以外の特殊データを混乱なく共存させることができる。
【０１１４】
また、上述の実施形態において、ミニディスクに記録可能な特殊データとしては、リニアＰＣＭデータの他に、ＡＣ−３による圧縮データ、ＭＰＥＧオーディオによる圧縮データも考えられる。ミニディスク（ＭＤ）に、特殊データとして、ＡＣ−３による圧縮データ、あるいは、ＭＰＥＧオーディオによる圧縮データを記録する場合、通常必要とされる圧縮・伸長処理を行なうことなく、圧縮データ（特殊データ）を、そのままミニディスク（ＭＤ）に記録することが可能となる。そのため、特殊データにおける音質の劣化がないという点で効果がある。例えば、ＳＤ（Ｓｕｐｅｒ  Ｄｅｎｓｉｔｙ  Ｄｉｓｃ：東芝方式のＤＶＤ（Ｄｉｇｉｔａｌ  Ｖｉｄｅｏ  Ｄｉｓｃ））に記録されたＡＣ−３による圧縮データを、ＭＤにコピー記録し、そのＭＤに記録した圧縮データをバックアップとして保有する場合等において、ＭＤに記録したＡＣ−３による圧縮データの音質劣化がないという点で効果がある。また、ビデオＣＤに記録されたＭＰＥＧオーディオを、ＭＤにコピー記録する場合も、同様の効果が得られる。
【０１１５】
また、図１８は本発明に係る記録／再生装置の他の構成例を示す図である。なお、図１８において、図１と同様の箇所には同じ符号を付している。図１８の記録／再生装置は、基本的には、図１に示した記録／再生装置と同様の構成のものとなっているが、図１８の記録／再生装置では、記録媒体１００に、秘匿を行なうように情報データを記録可能であって、秘匿を行なう情報については、これが許可なく再生されることのないよう、保護可能に構成されている。
【０１１６】
すなわち、図１８の記録／再生装置では、図１の記録／再生装置において、さらに、記録される情報データに対して秘匿を行なうか否かを指定する指定手段（例えばキーボード等の入力手段）３０と、秘匿を行なう情報を再生するための許可確認を行なう確認手段（例えばキーボード，ディスプレイ等の入力表示手段）３１とが設けられており、記録媒体１００への情報データの記録時には、記録される情報データに対して、秘匿を行なうか否かを指定手段３０から指定させ、指定手段３０から秘匿を行なわない情報データを記録する旨の指示がある場合は、記録媒体１００の管理領域に秘匿を行なわない情報データが記録される領域を特定する管理情報を、該管理情報が秘匿を行なわない情報データの記録領域を指定するものであるように書き込み、また、指定手段３０から秘匿を行なう情報データを記録する旨の指示がある場合あるいは記録媒体１００上に欠陥部分が含まれる場合は、記録媒体１００の管理領域に秘匿を行なう情報データが記録される領域を特定する管理情報を、また、記録媒体１００上の欠陥部分の領域を特定する管理情報を、これらの管理情報が記録媒体１００上のディフェクト領域を指示するものであるように管理領域に書込み、さらに、秘匿を行なう情報データを記録する場合は、上記管理情報に秘匿を行なう情報データである旨の識別情報を付加して該管理情報を管理領域に書込み、また、記録媒体上の欠陥部分の領域を記録する場合は、上記管理情報に真のディフェクト領域である旨の識別情報を付加して該管理情報を管理領域に書込むように構成されている。
【０１１７】
換言すれば、図１８の記録／再生装置では、記録媒体１００に、秘匿を行なう情報データを記録するとき、秘匿を行なわない通常の情報データ用の管理情報が記録される記録媒体１００の管理領域（例えばＵＴＯＣ領域）に、秘匿を行なわない通常の情報データ用の管理情報（ＴＯＣデータ）とは異質の形態で、秘匿を行なう情報データ用の管理情報（ＴＯＣデータ）を記録させるようになっている。
【０１１８】
より具体的に、秘匿を行なわない通常の情報データ用の管理情報が記録される記録媒体の管理領域に、秘匿を行なう情報データが記録される領域をディフェクト領域として指定可能になっている。
【０１１９】
さらに、秘匿を行なう情報データが記録される領域をディフェクト領域として指定する場合に、該ディフェクト領域を、真の欠陥部分のディフェクト領域と識別可能に指定するようになっている。
【０１２０】
図１９は図１８の記録／再生装置において情報データ（秘匿を行なわない情報データあるいは秘匿を行なう情報データ）を記録媒体（ミニディスク）１００に記録するための構成例を示す図である。図１９を参照すると、情報データを記録媒体（ミニディスク）１００に記録するため、この記録装置は、記録媒体１００に記録されようとしている情報データあるいは記録された情報データに対して、秘匿を行なうか否かを指定する指定手段３０と、ＡＴＲＡＣ部４でエンコードされメモリ手段３２に記憶されている情報データを記録媒体１００に書込む書込手段３３と、情報データが記録された記録媒体１００の領域に関する情報（書込手段３３によって記録媒体１００に書込まれた情報データのトラックアドレス情報等のＴＯＣデータ）を記憶するＵＴＯＣ記憶手段３４と、指定手段３０によって秘匿を行なう旨の指定がなされるとき、ＵＴＯＣ記憶手段３４に記憶されている情報データ用の情報（情報データのトラックアドレス情報等のＴＯＣデータ）を、秘匿を行なう情報データが記録された領域がディフェクト領域（記録（例えば上書き），再生，消去を禁止する領域）として認識されるように、ＵＴＯＣ領域の在来の部分（セクタ０）に書込むＵＴＯＣ書込手段３５とを備えている。
【０１２１】
ここで、ＵＴＯＣ書込手段３５は、秘匿を行なう情報データが記録される領域をディフェクト領域として指定する場合に、該ディフェクト領域を、真の欠陥部分のディフェクト領域と識別可能に指定するようなっている。
【０１２２】
また、図１８の記録／再生装置では、記録媒体１００に記録されている情報データの再生時には、記録媒体の管理領域から管理情報を読み取り、読み取った管理情報が秘匿を行なわない情報データが記録された領域を指示するものであると判断された場合は、該領域の情報データの再生を行ない、読み取った管理情報が秘匿を行なうデータが記録された領域または真のディフェクト領域を指示するものであると判断された場合は、該領域のデータを秘匿し、該領域のデータについて再生処理を行なわないようになっている。
【０１２３】
但し、読み取った管理情報が秘匿を行なうデータが記録された領域である場合には、許可確認が得られた場合に限って、該領域のデータについて再生処理を行なうことができる。
【０１２４】
図２０は図１８の記録／再生装置において、記録媒体に記録されている情報データを再生するための構成例を示す図である。図２０を参照すると、記録媒体に記録されている情報データを再生するために、この再生装置は、記録媒体のＵＴＯＣ領域の所定部分（セクタ０）のＴＯＣデータを読み出すＵＴＯＣ読出手段３６と、読出されたＵＴＯＣ領域の部分（セクタ０）のＴＯＣデータを記憶するＵＴＯＣ記憶手段３７と、情報データを再生する再生手段３８と、秘匿を行なう情報データを再生するための許可確認を行なう確認手段３１とを有し、確認手段３１によって許可確認が得られたとき、上記再生手段３８は、ＵＴＯＣ記憶手段３７に記憶されたＵＴＯＣ領域の部分（セクタ０）のＴＯＣデータのうち、ディフェクト領域を指定するＴＯＣデータを参照し、該ディフェクト領域を指定するＴＯＣデータにおいて真の欠陥部分とは異なるものとして識別されているＴＯＣデータに基づいて記録媒体１００に記録されている秘匿情報データを読出し再生するようになっている。
【０１２５】
すなわち、再生手段３８は、読み取った管理情報が秘匿を行なわない情報データが記録された領域を指示するものであると判断された場合は、該領域のデータを秘匿を行なわないデータとして認識して再生処理を行ない、また、再生手段３８は、読み取った管理情報が秘匿を行なう情報データが記録された領域を指示するものであると判断された場合は、該領域のデータを秘匿を行なう情報データとして認識して、確認手段３１によって許可確認が得られた場合にのみ、該情報データについて再生処理を行ない、また、再生手段３８は、読み取った管理情報が真のディフェクト領域を指示するものであると判断された場合は、該領域のデータについて再生処理を行なわないようになっている。
【０１２６】
また、図１８の記録／再生装置では、指定手段３０は、秘匿を行なう旨の指定の解除（秘匿情報データの公開）をも行なうことができるように構成されている。但し、秘匿を行なう旨の指定の解除は、例えば確認手段３１による許可確認が得られることを条件として、指定手段３０によってなされるようになっている。換言すれば、例えば、秘匿を行なう旨の指定した本人のみしか、指定の解除がなされないようになっている。
【０１２７】
なお、図１９の記録装置，図２０の再生装置において、メモリ手段３２，ＵＴＯＣ記憶手段３４，ＵＴＯＣ記憶手段３７には、図１８に示したショックプルーフメモリ５の一部を用いることができ、また、書込手段３３，ＵＴＯＣ書込手段３５，ＵＴＯＣ読出手段３６，再生手段３８は、図１８においてコントローラ部（ＣＰＵ）８，ショックプルーフメモリコントローラ６により実現できる。
【０１２８】
このように、本発明の記録装置，記録方法では、秘匿を行なわない情報データ（ＡＴＲＡＣデータ）を記録する場合は、ＵＴＯＣ領域に通常の情報データが記録される領域の各トラックの位置を特定するＴＯＣデータを書き込んで通常の情報データトラック（ＡＴＲＡＣデータトラック）として認識させ、また、秘匿を行なう情報データ（ＡＴＲＡＣデータ）を記録する場合あるいはディスク上に欠陥部分が含まれる場合は、ＵＴＯＣ領域に秘匿を行なう情報データが記録される領域の各トラックの位置を特定するＴＯＣデータを、また、ディスク上の欠陥部分の領域の各トラックの位置を特定するＴＯＣデータを、これらのＴＯＣデータがディフェクト領域を指示するものであるように書込み、さらに、秘匿を行なう情報データを記録する場合は上記ＴＯＣデータに、秘匿を行なう情報データである旨の識別信号を付加してＵＴＯＣ領域に書込み、また、ディスク上の欠陥部分の領域を記録する場合は上記ＴＯＣデータに真のディフェクト領域である旨の識別信号を付加してＵＴＯＣ領域に書込む。これにより、各ＴＯＣデータが、秘匿を行なわない情報データに関するものであるのかディフェクト領域に関するものであるのかを認識させ、また、ディフェクト領域として認識された場合、これが秘匿を行なう情報データに関するものであるのか、真のディフェクト領域に関するものであるのかを認識させることが可能となる。
【０１２９】
また、上記のような記録管理がなされることにより、本発明の再生装置，再生方法では、記録媒体のＵＴＯＣ領域からＴＯＣデータを読み込み、読み込んだＴＯＣデータが秘匿を行なわない情報データが記録されたトラックを指示するものであると判断された場合は、再生処理を行ない、また、読み込んだＴＯＣデータが秘匿を行なう情報データが記録されたトラックを指示するものであると判断された場合、または、読み込んだＴＯＣデータが真のディフェクト領域を指示するものであると判断された場合は、再生処理を行なわないようにすることができる。但し、読み込んだＴＯＣデータが秘匿を行なう情報データが記録されたトラックを指示するものであると判断された場合において、確認手段３１から許可確認が得られたときには、再生処理を行なうことができる。
【０１３０】
すなわち、本発明では、ユーザは、データを秘匿するために、記録媒体１００にデータを記録する前に、あるいは、記録した後、ＵＴＯＣ領域に各トラックの公開または非公開を指定する入力をそれぞれ行なうことができる。そして、この記録媒体１００，例えばＭＤに対し、従来のＭＤプレーヤを用いて記録再生を行なった場合は、公開されているデータが記録されている領域に対しては通常の記録再生及び消去を行なうことができるが、公開されていないデータが記録されている領域に対しては記録再生および消去を行なうことができず、公開されていないデータを保護することができる。
【０１３１】
また、このＭＤに対し、本発明の記録／再生装置を用いて記録，再生を行なう場合、例えば、トラックを非公開にした当人は、確認手段３１から例えばパスワードなどを入力することにより、公開されていないにかかわらず全てのデータの記録，再生および消去を行なうことができる。一方、トラックを非公開にした当人以外は、確認手段３１から正しいパスワードなどを入力できないため、記録，再生および消去を行なうことができない。また、トラックを非公開にした当人のみが、例えば指定手段３０と確認手段３１とを用いて、非公開のトラックの公開または非公開を改めて指定することができる。
【０１３２】
具体的には、本発明では、情報データを記録したトラックの秘匿を行なうため、図７に示すＵＴＯＣ領域のセクタ０において、秘匿を行なう情報データを記録したトラック（秘匿トラック）に関するアドレススロットを、トラックナンバーポインタ（Ｐ−ＴＮＯ）で指定せずに、ディフェクトアドレスポインタＰ−ＤＦＡで指定するか、またはリンクポインタＬＩＮＫ−Ｐによって示される上記ディフェクトアドレススロットの続きのアドレススロットで指定し、かつそのポインタが指定したアドレススロットのトラックモードバイト情報を、真の（本当の）ディフェクト領域とは異なる状態にセットする。
【０１３３】
例えば、このトラックモードバイト情報のビットｄ４を在来のミニディスクでは設定されない値、すなわち“１”とすることにより、これを真のディフェクト領域から区別する。また、このとき、当該秘匿トラックが複数のアドレススロットを使用している場合には、その各スロットに対し当該トラックの最後のスロットならばｄ５，ｄ６ビットを０，１とし、最後のスロットでなければｄ５，ｄ６ビットを１，１として設定する。
【０１３４】
従って、図１８の記録／再生装置においても、ミニディスクのＵＴＯＣ領域には、図１３に示した記録例とほぼ同様の記録がなされる。
【０１３５】
このように、本発明の記録方法，再生方法によれば、在来のミニディスク記録／再生装置では、秘匿を行なわない情報データ以外の記録部分はディフェクト領域として認識され、保護されて、読み出し、および上書きをすることができなくなる。これに対し、本発明の記録／再生装置では、このディフェクトアドレスポインタＰ−ＤＦＡ、またはリンクポインタＬＩＮＫ−Ｐによって示されるその続きのアドレススロットのトラックモードバイトを読むことで、そのスロットが真のディフェクト領域を指示するものであるのか、あるいは、秘匿を行なう情報データが記録された保護された領域であるのかを判別でき、保護された領域であれば、許可確認が得られる場合に限って、秘匿データの上書き，再生を行なうことが可能になる。従って、他人が無断で秘匿データを上書き，再生してしまうという事態を有効に防止できる。
【０１３６】
図２１は、トラック記録後（情報データを記録後）のミニディスクに対しユーザが指定する任意のトラックを、他人が再生できないよう秘匿する秘匿処理の一例を示すフローチャートである。
【０１３７】
秘匿処理では、まず、どのトラックを秘匿するかの入力，すなわち秘匿するトラックのトラック番号の指定を指定手段３０により行なう（ステップＳ８１）。秘匿するトラックのトラック番号として、例えばＮが指定されると、次に、当該トラック（トラック番号Ｎ）のトラックナンバーポインタ（Ｐ−ＴＮＯＮ）をクリアする（ステップＳ８２）。続いて、その秘匿対象のトラックアドレススロット，すなわちＰ−ＴＮＯＮの指していたスロットを、ディフェクトアドレスポインタ（Ｐ−ＤＦＡ）またはディフェクトアドレススロットのリンクポインタＬＩＮＫ−Ｐで指定する（ステップＳ８３）。さらに、このトラックアドレススロットのトラックモードバイトを更新する（ステップＳ８４）。すなわち、秘匿トラックアドレススロットのトラックモードバイトｄ４を１にする。また、このとき、当該秘匿トラックが複数のアドレススロットを使用している場合には、その各スロットに対し当該トラックの最後のスロットならばｄ５，ｄ６ビットを０，１とし、最後のスロットでなければｄ５，ｄ６ビットを１，１として設定する。このようにして、１トラック分の秘匿を終了する。
【０１３８】
続いて、他に秘匿したいトラックがあるか否かの確認を行なう。すなわち、秘匿したいトラックナンバーを全て入力したか否かの確認を行なう（ステップＳ８５）。この結果、他に秘匿したいトラックがあれば、ステップＳ８１乃至Ｓ８４の処理を繰り返し行ない、他に秘匿したいトラックがなくなれば、トラックのトラック番号をリナンバリングする（ステップＳ８６）。例えば、５トラック中、２トラックが秘匿されたならば、残った３つのトラックのアドレススロットをそれぞれ指示するように、すなわち、残った３つのトラックのトラックナンバーが１，２，３となるようトラックナンバーポインタＰ−ＴＮＯ１，Ｐ−ＴＮＯ２，Ｐ−ＴＮＯ３を書き換える。さらにＦｉｒｓｔＴＮＯを“１”に、ＬａｓｔＴＮＯを“３”に更新する。このようにして、秘匿処理を完了する。このように秘匿処理のなされたディスクは、後述する公開処理が行なわれない限り、秘匿されずに残ったトラック１，２，３しか再生することができない。
【０１３９】
図２２は、いくつかのトラックが秘匿処理されたミニディスクに対し、ユーザが秘匿トラックを再生できるよう公開する秘匿トラック公開処理の一例を示すフローチャートである。
【０１４０】
秘匿トラック公開処理では、まず、ＬａｓｔＴＮＯの確認を行なう（ステップＳ９１）。すなわち、最終のトラック番号（トラックナンバー）を調べ、公開（秘匿解除）されるトラックのトラックナンバーの初期値を（最終トラックナンバー−１）とする。次に、ディフェクト領域のアドレススロット（Ｐ−ＤＦＡで示されたアドレススロット）及びそのリンクポインタＬＩＮＫ−Ｐが指すアドレススロットの中でトラックモードバイトのｄ４が“１”のスロットを抽出する（ステップＳ９２）。ｄ４が“１”のスロットを抽出できた場合は、そのアドレススロットを新規のトラックナンバーポインタ（Ｐ−ＴＮＯ）で指定する（ステップＳ９３）。例えば、通常のトラック（秘匿のなされていないトラック）が３まであるとするとＰ−ＴＮＯ４で指定し、すでにトラック４の公開処理を行なったならばＰ−ＴＮＯ５で指定する。続いて、公開されたアドレススロットをディフェクトアドレスから外すよう、当該アドレススロットを指すディフェクトアドレスポインタＰ−ＤＦＡ、またはディフェクトアドレススロットのリンクポインタＬＩＮＫ−Ｐを更新する（ステップＳ９４）。さらに、抽出されたスロットのトラックモードバイトのｄ４を“０”とし、ｄ５，ｄ６の組み合わせが１，１の場合は、これを０，１に戻す。なお、ｄ５，ｄ６の組み合わせが当初から０，１であった場合、そのスロットのリンクポインタＬＩＮＫ−Ｐをクリアする（ステップＳ９５）。これにより、１トラック分の公開処理を完了し、再びステップＳ９２に戻り、さらに次のスロット（秘匿トラックアドレススロット）の抽出を行なう。
【０１４１】
このようにして、全ての秘匿アドレススロット（トラックモードバイトのｄ４が“１”であるスロット）の抽出が終了し、ｄ４が“１”のスロットがなくなると、秘匿トラックの公開により増加したトラック番号（トラックナンバー）も含むようにラストトラックナンバー（ＬａｓｔＴＮＯ）を更新してすべての秘匿トラックの公開を完了する（ステップＳ９６）。
【０１４２】
このように、図１８の装置では、秘匿トラックについては、公開処理を行なわない限り、再生や上書きがなされないよう、これを秘匿保護することができる。そして、秘匿したトラックは公開処理を行なうことにより再生可能な通常の状態に戻すことができる。具体的には、公開処理に条件を付けることなどにより、例えばパスワードを入力しそれと一致することなどを条件として、再生可能な状態に戻すことができる。
【０１４３】
すなわち、全てのトラックに対し公開または非公開の選択を行なうことができ、公開されているデータについては、これを記録，再生，消去することができるが、公開されていないデータに対しては記録，再生，消去を行なうことができず、記録データの秘匿ができる。通常のＭＤプレーヤは、秘匿を行なったデータはディフェクト領域として確認するため、誤って秘匿を行なったデータを読み込むことがなく、また、新たにデータを上書きすることもない。このように、通常のＭＤと互換性を有しつつ、かつ、他の信号データの記録，再生を行なうことができる。
【０１４４】
なお、図８，図１８の記録／再生装置では、再生，記録の両方の機能が備わっているとしたが、これを再生機能だけを備えた再生装置として構成することもでき、また、記録機能だけを備えた記録装置として構成することもできる。すなわち、図８，図１８の各装置を再生機能のみを持つ再生装置，記録機能のみをもつ記録装置というようにそれぞれ別個の装置として構成することもできる。
【０１４５】
ここで、再生機能のみをもつ再生装置として構成する場合には、ＡＴＲＡＣ部４，ＥＦＭエンコーダ／デコーダ部７は、少なくともデコーダの機能をもつものであれば良く、また、デジタルオーディオインタフェース２０は、少なくともデジタルオーディオインタフェース信号の送信出力機能をもつものであれば良い。
【０１４６】
また、記録機能のみをもつ記録装置として構成する場合には、ＡＴＲＡＣ部４，ＥＦＭエンコーダ／デコーダ部７は、少なくともエンコーダの機能をもつものであれば良く、また、デジタルオーディオインタフェース２０は、少なくともデジタルオーディオインタフェース信号の受信機能をもつものであれば良い。
【０１４７】
また、上述の実施形態では、記録媒体１００がミニディスクであるとしたが、ミニディスクに限らず、任意の記録媒体に対して本発明を適用することもできる。
【０１４８】
また、図２１，図２２の処理例では、トラック記録がなされた後、すなわち情報データの記録がなされた後、記録のなされたトラック（情報データ）に対して秘匿を行なう旨の指定を行なっているが、トラック記録がなされるに先立って、すなわち情報データの記録がなされるに先立って、秘匿を行なう旨の指定を行なうことも可能である。
【０１４９】
【発明の効果】
以上に説明したように、請求項１，請求項２記載の発明によれば、標準データのみを記録する記録媒体専用の記録／再生装置に、標準データのみならず特殊データをも記録可能な記録媒体がセットされるときに、標準データのみを記録する記録媒体専用の記録／再生装置にとって、特殊データが記録される領域が隠され、特殊データが記録される領域が該記録／再生装置から保護されるように、特殊データが記録される領域を管理するようになっているので、標準(圧縮)データ，特殊データを１つの記録媒体に記録する場合にも、記録媒体内に標準(圧縮)データ，特殊データを混乱なく共存させることができ、この記録媒体への標準(圧縮)データ，特殊データの記録，再生動作の管理を容易に行なうことができる。
【０１５０】
さらに、請求項１，請求項２記載の発明によれば、特殊データが記録される領域をディフェクト領域として指定する場合に、該ディフェクト領域を、真の欠陥部分のディフェクト領域と識別可能に指定するので、特殊データが記録される領域をディフェクト領域として指定する場合にも、これを真の欠陥部分の領域と区別させることができる。
【０１５１】
また、請求項３，請求項４記載の発明によれば、記録媒体に標準データを記録する場合は、記録媒体の管理領域に標準データが記録される領域を特定する管理情報を、該管理情報が標準データ記録領域を指示するものであるように書き込み、また、標準データ以外の特殊データを記録する場合あるいは記録媒体上に欠陥部分が含まれる場合は、記録媒体の管理領域に特殊データが記録される領域を特定する管理情報を、また、記録媒体上の欠陥部分の領域を特定する管理情報を、これらの管理情報が記録媒体上のディフェクト領域を指示するものであるように管理領域に書込み、さらに、特殊データを記録する場合は、上記管理情報に特殊データである旨の識別情報を付加して該管理情報を管理領域に書込み、また、記録媒体上の欠陥部分の領域を記録する場合は、上記管理情報に真のディフェクト領域である旨の識別情報を付加して該管理情報を管理領域に書込むので、管理領域に記録された各管理情報が、標準データに関するものであるのかディフェクト領域に関するものであるのかを認識させ、また、ディフェクト領域として認識された場合、これが特殊データに関するものであるのか、真のディフェクト領域に関するものであるのかを認識させることが可能となる。
【０１５２】
また、請求項５，請求項６記載の発明によれば、記録媒体の管理領域から管理情報を読み取り、読み取った管理情報が標準データが記録された領域を指示するものであると判断された場合は、該領域のデータを標準データとして認識して標準データ用の再生処理を行ない、読み取った管理情報が特殊データが記録された領域を指示するものであると判断された場合は、該領域のデータを特殊データとして認識して特殊データ用の再生処理を行ない、また、読み取った管理情報が真のディフェクト領域を指示するものであると判断された場合は、該領域のデータについて再生処理を行なわないので、１つの記録媒体内に標準データと特殊データとが混在して記録されている場合にも、この記録媒体から標準データ，特殊データを正しく再生することができる。
【０１５３】
また、請求項７，請求項８，請求項１１記載の発明によれば、記録媒体に情報データの記録を行なう記録方法において、秘匿を行なう情報データを記録する場合あるいは記録媒体上に欠陥部分が含まれる場合は、記録媒体の管理領域に秘匿を行なう情報データが記録される領域を特定する管理情報を、また、記録媒体上の欠陥部分の領域を特定する管理情報を、これらの管理情報が記録媒体上のディフェクト領域を指示するものであるように管理領域に書込み、さらに、秘匿を行なう情報データを記録する場合は、上記管理情報に秘匿を行なう情報データである旨の識別情報を付加して該管理情報を管理領域に書込み、また、記録媒体上の欠陥部分の領域を記録する場合は、上記管理情報に真のディフェクト領域である旨の識別情報を付加して該管理情報を管理領域に書込むので、特定の情報データを秘匿し、保護することができる。
【０１５４】
また、請求項９，請求項１０，請求項１２記載の発明によれば、記録媒体に記録されている情報データを再生する再生方法において、記録媒体の管理領域から管理情報を読み取り、読み取った管理情報が秘匿を行なわない情報データが記録された領域を指示するものであると判断された場合は、該領域の情報データの再生を行ない、読み取った管理情報が秘匿を行なうデータが記録された領域または真のディフェクト領域を指示するものであると判断された場合は、該領域のデータを秘匿し、該領域のデータについて再生処理を行なわないので、特定の情報データを秘匿し、保護することができる。
【図面の簡単な説明】
【図１】在来の一般的な記録／再生装置の構成例を示す図である。
【図２】ＡＴＲＡＣ部のエンコーダの処理を説明するための図である。
【図３】サウンドグループを説明するための図である。
【図４】ＡＴＲＡＣ部のデコーダの処理を説明するための図である。
【図５】記録可能ＭＤのデータ構造を説明するための図である。
【図６】記録可能ＭＤの構成例を示す図である。
【図７】ＵＴＯＣ領域のセクタ０のフォーマットを示す図である。
【図８】本発明に係る記録／再生装置の構成例を示す図である。
【図９】本発明に係る記録／再生装置において特殊データを記録媒体（ミニディスク）に記録するための構成例を示す図である。
【図１０】本発明に係る記録／再生装置において、記録媒体に記録されている特殊データを再生するための構成例を示す図である。
【図１１】ショックプルーフメモリの構成例を示す図である。
【図１２】トラックモードバイトのｄ４，ｄ５，ｄ６の各ビットの扱いを説明するための図である。
【図１３】ミニディスクのＵＴＯＣ領域の記録例を示す図である。
【図１４】本発明の記録媒体管理方法，記録／再生装置を適用したミニディスク記録再生装置の具体例を示す図である。
【図１５】本発明の記録再生装置によるＴＯＣデータの書き換え処理の処理流れを示すフローチャートである。
【図１６】本発明の記録再生装置によるイニシャル処理の処理流れを示すフローチャートである。
【図１７】本発明の記録再生装置による再生処理の処理流れを示すフローチャートである。
【図１８】本発明に係る記録／再生装置の他の構成例を示す図である。
【図１９】図１８の記録／再生装置において、情報データ（秘匿を行なわない情報データあるいは秘匿を行なう情報データ）を記録媒体に記録するための構成例を示す図である。
【図２０】図２０は図１８の記録／再生装置において、記録媒体に記録されている情報データを再生するための構成例を示す図である。
【図２１】図１８の記録／再生装置における秘匿する秘匿処理の一例を示すフローチャートである。
【図２２】図１８の記録／再生装置における秘匿トラック公開処理の一例を示すフローチャートである。
【符号の説明】
２                Ａ／Ｄ変換器
３                Ｄ／Ａ変換器
４                ＡＴＲＡＣ部（データ圧縮手段）
５                ショックプルーフメモリ
６                ショックプルーフメモリコントローラ
７                ＥＦＭエンコーダ／デコーダ部
８                コントローラ部
９                特殊データインタフェース手段（特殊データ取込手段）
１０              切替部
２０              デジタルオーディオインタフェース（ＤＡＩ）
３０              指定手段
３１              確認手段
３２              メモリ手段
３３              書込手段
３４              ＵＴＯＣ記憶手段
３５              ＵＴＯＣ書込手段
３６              ＵＴＯＣ読出手段
３７              ＵＴＯＣ記憶手段
３８              再生手段
１００            記録媒体
【図１】
0003598330.tif 000002
【図２】
0003598330.tif 000003
【図３】
0003598330.tif 000004
【図４】
0003598330.tif 000005
【図５】
0003598330.tif 000006
【図６】
0003598330.tif 000007
【図７】
0003598330.tif 000008
【図８】
0003598330.tif 000009
【図９】
0003598330.tif 000010
【図１０】
0003598330.tif 000011
【図１１】
0003598330.tif 000012
【図１２】
0003598330.tif 000013
【図１３】
0003598330.tif 000014
【図１４】
0003598330.tif 000015
【図１５】
0003598330.tif 000016
【図１６】
0003598330.tif 000017
【図１７】
0003598330.tif 000018
【図１８】
0003598330.tif 000019
【図１９】
0003598330.tif 000020
【図２０】
0003598330.tif 000021
【図２１】
0003598330.tif 000022
【図２２】
0003598330.tif 000023